(57)【要約】      （修正有）【課題】杭打ちの労力及び時間を要することなく、効率的に杭を地中に打込むことのできる杭打込みハンマー、及杭打込みハンマー装置を提供する。【解決手段】杭打込みハンマーＸは、３本の杭案内軸、各杭案内軸の一方の軸端側に固定される杭打撃ハンマー２、複数枚の軸保持板３及び各杭案内軸の間に配置される複数枚の杭案内板４を備える。杭ＫＭを各杭案内軸の他方の軸端から挿入して、杭打込みハンマー及び杭を地面に立上げる。杭を立上げると、杭打込みハンマーを杭に対して引上げ、及び落下して、杭打撃ハンマーを含む杭打込みハンマーの重量にて、杭の他方の杭端ｋｂを打撃して、杭を地中に打込む。杭打込みハンマーは、落下の時、各杭案内軸の杭外周面、及び杭案内板の一方の案内板平面４Ｂを杭の杭外周面に摺接して落下される。【選択図】図２０
0003219009.tif 000002
【実用新案登録請求の範囲】
【請求項１】
一方の杭端を地面に接地して、地面に立上げられる円筒状又は円柱状の杭において、前記杭の他方の杭端を打撃して、前記杭を地中に打込む杭打込みハンマーであって、
鉄筋を含む金属丸棒で形成され、軸中心線を平行して配置される３本の杭案内軸と、
金属円柱で形成され、一方のハンマー柱端面に前記各杭案内軸の軸中心線に直交し及びハンマー柱中心線を中心として配置され、前記杭の他方の杭端に当接可能な打撃平面を有し、一方のハンマー柱端面から前記各杭案内軸に一方の軸端側に固定される杭打撃ハンマーと、
金属平板で形成され、前記杭を挿入する杭挿入円穴を有し、各保持板平面を前記各杭案内軸の軸中心線と直交して前記杭打撃ハンマーの一方のハンマー柱端面及び前記各杭案内軸の間に配置され、前記各杭案内軸に固定される複数の軸保持板と、を備え、
前記杭挿入円穴は、
前記打撃平面と同心に配置され、
前記各杭案内軸の軸中心線の方向にて前記各軸保持板を貫通して、前記各保持板平面に開口され、
前記各杭案内軸は、
前記杭挿入円穴の周方向に等間隔を隔てて配置され、
前記杭挿入円穴の内側に突出され、
前記杭挿入円穴の穴中心線を中心とし、前記杭挿入円穴に挿入された前記杭の杭外周面に摺接自在とする摺接円に、前記杭挿入円穴の内側に突出した軸外周面を接して配置される
ことを特徴とする杭打込みハンマー。
【請求項２】
金属平板で形成され、前記各杭案内軸の間に配置される複数枚の杭案内板を備え、
複数枚の杭案内板は、
前記杭案内軸の間に１枚配置され、
前記杭案内軸の間の１枚の杭案内板は、
一方の案内板平面を前記杭挿入円穴の内側に突出して、前記各軸保持板の間に延在され、
前記杭挿入円穴の内側に突出した一方の案内板平面を前記摺接円に接して配置される
ことを特徴とする請求項１に記載の杭打込みハンマー。
【請求項３】
金属平板で形成され、前記各杭案内軸の間に配置される複数枚の杭案内板を備え、
複数枚の杭案内板は、
前記各杭案内軸の間に２枚配置され、
前記各杭案内軸の間の２枚の杭案内板は、
前記杭挿入円穴の周方向に並べて配置され、
一方の案内板平面を前記杭挿入円穴の内側に突出して、前記各軸保持板の間に延在され、
前記杭挿入円穴の内側に突出した一方の案内板平面を前記摺接円に接して配置される
ことを特徴とする請求項１に記載の杭打込みハンマー。
【請求項４】
前記杭打撃ハンマーは、
金属円柱で形成され、一方の打撃柱端面に前記打撃平面を有し、一方の打撃柱端面から前記各杭案内軸の一方の軸端側に固定される打撃部と、
金属円柱で形成され、一方のウエイト柱端面から前記打撃部の他方の打撃柱端面側に配置され、前記打撃部に取外自在として固定される複数種のウエイト部と、を有し、
複数種のウエイト部は、
円柱直径の相異する同一金属で形成され、
複数種から１のウエイト部を選択し、選択したウエイト部は、
前記打撃部に取外自在として固定される
ことを特徴とする請求項１乃至請求項３の何れかに記載の杭打込みハンマー。
【請求項５】
金属棒又は金属管で形成される複数本のハンドル軸を備え、
複数本のハンドル軸は、
前記各ウエイト部に２本配置され、
前記各ウエイト部の２本のハンドル軸は、
前記ウエイト部の周方向に等間隔を隔てて配置され、
前記ウエイト部の外周面から前記ウエイト部のウエイト柱中心線と直交する方向に延在されて、前記ウエイト部に固定される
ことを特徴とする請求項４に記載の杭打込みハンマー。
【請求項６】
一方の杭端を地面に接地して、地面に立上げられる円筒状又は円柱状の杭において、前記杭の他方の杭端を打撃して、前記杭を地中に打込む杭打込みハンマー装置であって、
前記杭の他方の杭端を打撃する杭打込みハンマーと、
前記杭打込みハンマーを打撃する補助ハンマーと、で構成され、
前記杭打込みハンマーは、
鉄筋を含む金属丸棒で形成され、軸中心線を平行して配置される３本の杭案内軸と、
金属円柱で形成され、一方のハンマー柱端面から前記各杭案内軸の一方の軸端側に固定される杭打撃ハンマーと、
金属平板で形成され、前記杭を挿入する杭挿入円穴を有し、各保持板平面を前記各杭案内軸の軸中心線と直交して、前記杭打撃ハンマーの一方のハンマー柱端面及び前記各杭案内軸の他方の軸端の間に間隔を隔てて配置され、前記各杭案内軸に固定される複数枚の軸保持板と、を備え、
前記杭打撃ハンマーは、
一方のハンマー柱端面に、前記各杭案内軸の軸中心線と直交し及び前記杭打撃ハンマーのハンマー柱中心線を中心として配置され、前記杭の他方の杭端に当接可能な打撃平面と、
前記各杭案内軸の軸中心線と直交して前記打撃平面と同心に配置される穴底平面を有し、前記穴底平面から前記杭打撃ハンマーのハンマー柱中心線の方向に延在して、他方のハンマー柱端面に開口され、穴内周面を前記杭の杭外周面に摺接し、及び前記杭の他方の杭端を前記穴底平面に当接して前記杭を挿入する杭案内円穴と、を有し、
前記杭案内円穴は、
前記穴底平面及び前記杭打撃ハンマーの他方のハンマー柱端面の間に穴長を有し、
前記杭挿入円穴は、
前記打撃平面と同心に配置され、
前記各杭案内軸の軸中心線の方向にて前記各軸保持板を貫通して、各保持板平面に開口され、
前記各杭案内軸は、
前記杭打撃ハンマーの一方のハンマー柱端面及び他方の軸端の間に、前記杭案内円穴の穴長より長い案内軸長を有し、
前記杭挿入円穴の周方向に等間隔を隔てて配置され、
前記杭挿入円穴の内側に突出して配置され、
前記杭挿入円穴の穴中心線を中心とし、前記杭挿入円穴に挿入された前記杭の杭外周面に摺接自在とする摺接円に、前記杭挿入円穴の内側に突出した軸外周面を接して配置され、
前記補助ハンマーは、
金属丸棒で形成され、打撃軸外周面を前記各軸案内軸の軸外周面に摺接して、前記各軸保持板の前記杭挿入円穴に挿入される１本の打撃軸と、
金属円柱で形成され、前記打撃軸と同心に配置され、一方の補助ウエイト柱端面から前記打撃軸の一方の打撃軸端側に固定される補助ウエイトと、を備え、
前記打撃軸は、
前記補助ウエイトの一方の補助ウエイト柱端面及び他方の打撃軸端の間に、前記各杭案内軸の案内軸長より長い打撃軸長を有する
ことを特徴とする杭打込みハンマー装置。
【請求項７】
金属平板で形成され、前記各杭案内軸の間に配置される複数枚の杭案内板を備え、
複数枚の杭案内板は、
前記杭案内軸の間に１枚配置され、
前記杭案内軸の間の１枚の杭案内板は、
一方の案内板平面を前記杭挿入円穴の内側に突出して、前記各軸保持板の間に延在され、
前記杭案内円穴の内側に突出した一方の案内板平面を前記摺接円に接して配置される
ことを特徴とする請求項６に記載の杭打込みハンマー装置。
【請求項８】
金属平板で形成され、前記各杭案内軸の間に配置される複数枚の杭案内板を備え、
複数枚の杭案内板は、
前記各杭案内軸の間に２枚配置され、
前記各杭案内軸の間の２枚の杭案内板は、
前記杭挿入円穴の周方向に並べて配置され、
一方の案内板平面を前記杭挿入円穴の内側に突出して、前記各軸保持板の間に延在され、
前記杭案内円穴の内側に突出した一方の案内板平面を前記摺接円に接して配置される
ことを特徴とする請求項６に記載の杭打込みハンマー装置。
【請求項９】
前記杭打撃ハンマーは、
一方のハンマー柱端面側の円柱ハンマー部と、
他方のハンマー柱端面側の円錐台形ハンマー部と、を有し、
前記円柱ハンマー部は、
一方のハンマー柱部端面に前記打撃平面を有し、
一方のハンマー柱部端面から前記各杭案内軸の一方の軸端側に固定され、
前記円錐台形ハンマー部は、
前記円柱ハンマー部の他方のハンマー柱部端面に一体に形成され、
前記杭打撃ハンマーのハンマー柱中心線の方向において、前記円柱ハンマー部の他方のハンマー柱部端面から縮径しつつ前記杭打撃ハンマーの他方のハンマー柱端面に延在される
ことを特徴とする請求項６乃至請求項８の何れかに記載の杭打込みハンマー装置。
【請求項１０】
前記円錐台形ハンマー部は、
前記円柱ハンマー部の他方のハンマー柱部端面及び前記杭打撃ハンマーの他方のハンマー柱端面の間に、前記杭案内円穴の穴長より長い円錐高を有する
ことを特徴とする請求項９に記載の杭打込みハンマー装置。
【請求項１１】
金属棒又は金属管で形成される２本のハンドル軸を備え、
前記各ハンドル軸は、
前記円柱ハンマー部の周方向に等間隔を隔てて配置され、
前記円柱ハンマー部のハンマー外周面から前記円柱ハンマー部のハンマー柱部中心線と直交する方向に延在され、前記円柱ハンマー部に固定される
ことを特徴とする請求項９又は請求項１０に記載の杭打込みハンマー装置。
【請求項１２】
前記補助ウエイトは、
金属円柱で形成され、一方の第１ウエイト柱端面から前記打撃軸の一方の打撃軸端側に固定される第１補助ウエイト部と、
金属円柱に形成され、一方の第２ウエイト柱端面から前記第１補助ウエイト部の他方の第１ウエイト柱端面側に配置され、前記第１補助ウエイト部に取外自在として固定される複数種の第２補助ウエイト部と、を有し、
複数種の第２補助ウエイト部は、
円柱直径の相異する同一金属で形成され、
複数種から１の第２補助ウエイト部を選択し、選択した第２補助ウエイト部は、
前記第１補助ウエイト部に取外自在として固定される
ことを特徴とする請求項６乃至請求項１１の何れかに記載の杭打込みハンマー装置。
【請求項１３】
金属棒又は金属管で形成される複数本の補助ハンドル軸を備え、
複数本の補助ハンドル軸は、
前記各第２補助ウエイト部に２本配置され、
前記各第２補助ウエイト部の２本の補助ハンドル軸は、
前記第２補助ウエイト部の周方向に等間隔を隔てて配置され、
前記第２補助ウエイト部のウエイト外周面から前記第２補助ウエイト部の第２ウエイト柱中心線と直交する方向に延在されて、前記第２補助ウエイト部に固定される
ことを特徴とする請求項１２に記載の杭打込みハンマー装置。
【考案の詳細な説明】
【技術分野】
【０００１】
本考案は、杭を地中に打込むための杭打込みハンマー、及び杭打込みハンマー装置に関する。
【背景技術】
【０００２】
杭を地中に打込む技術として、特許文献１は筒ハンマーを開示する。筒ハンマーは、金属製の筒本体、打撃面の鉄板及び複数の把手を備える。筒ハンマーにおいて、鉄板は、筒本体の一方の筒端を閉塞して筒本体に固定される。各把手は、筒本体の外周面に固定される。特許文献１において、作業者（人）は、筒本体内に杭を挿入し、把手を把持して筒本体（筒ハンマー）を杭に対して引上げる。作業者（人）は、筒ハンマーを引上げた状態から、杭に向けて引下げることで、鉄板（打撃面）に杭を打撃して、杭を地中に打込む。
【先行技術文献】
【特許文献】
【０００３】
【特許文献１】特開２００９−７４３４１号公報
【考案の概要】
【考案が解決しようとする課題】
【０００４】
特許文献では、作業者による筒ハンマーの引下げによって、杭を打撃して地中に打込むことから、杭打ちに労力及び時間を要する。
【０００５】
本考案は、杭打ちに労力及び時間を要することなく、効率的に杭を地中に打込むことのできる杭打込みハンマー、及び杭打込みハンマー装置を提供することにある。  
【課題を解決するための手段】
【０００６】
本考案に係る請求項１は、一方の杭端を地面に接地して、地面に立上げられる円筒状又は円柱状の杭において、前記杭の他方の杭端を打撃して、前記杭を地中に打込む杭打込みハンマーであって、鉄筋を含む金属丸棒で形成され、軸中心線を平行して配置される３本の杭案内軸と、金属円柱で形成され、一方のハンマー柱端面に前記各杭案内軸の軸中心線に直交して、ハンマー柱中心線を中心として配置され、前記杭の他方の杭端に当接可能な打撃平面を有し、一方のハンマー柱端面から前記各杭案内軸に一方の軸端側に固定される杭打撃ハンマーと、金属平板で形成され、前記杭を挿入する杭挿入円穴を有し、各保持板平面を前記各杭案内軸の軸中心線と直交して前記杭打撃ハンマーの一方のハンマー柱端面及び前記各杭案内軸の間に配置され、前記各杭案内軸に固定される複数の軸保持板と、を備え、前記杭挿入円穴は、前記打撃平面と同心に配置され、前記各杭案内軸の軸中心線の方向にて前記各軸保持板を貫通して、前記各保持板平面に開口され、前記各杭案内軸は、前記杭挿入円穴の周方向に等間隔を隔てて配置され、前記杭挿入円穴の内側に突出され、前記杭挿入円穴の穴中心線を中心とし、前記杭挿入円穴に挿入された前記杭の杭外周面に摺接自在とする摺接円に、前記杭挿入円穴の内側に突出した軸外周面を接して配置されることを特徴とする杭打込みハンマーである。
【０００７】
本考案に係る請求項２は、金属平板で形成され、前記各杭案内軸の間に配置される複数枚の杭案内板を備え、複数枚の杭案内板は、前記杭案内軸の間に１枚配置され、前記杭案内軸の間の１枚の杭案内板は、一方の案内板平面を前記杭挿入円穴の内側に突出して、前記各軸保持板の間に延在され、前記杭挿入円穴の内側に突出した一方の案内板平面を前記摺接円に接して配置されることを特徴とする請求項１に記載の杭打込みハンマーである。
【０００８】
本考案に係る請求項３は、金属平板で形成され、前記各杭案内軸の間に配置される複数枚の杭案内板を備え、複数枚の杭案内板は、前記各杭案内軸の間に２枚配置され、前記各杭案内軸の間の２枚の杭案内板は、前記杭挿入円穴の周方向に並べて配置され、一方の案内板平面を前記杭挿入円穴の内側に突出して、前記各軸保持板の間に延在され、前記杭挿入円穴の内側に突出した一方の案内板平面を前記摺接円に接して配置されることを特徴とする請求項１に記載の杭打込みハンマーである。
【０００９】
本考案に係る請求項４は、前記杭打撃ハンマーは、金属円柱で形成され、一方の打撃柱端面に前記打撃平面を有し、一方の打撃柱端面から前記各杭案内軸の一方の軸端側に固定される打撃部と、金属円柱で形成され、一方のウエイト柱端面から前記打撃部の他方の打撃柱端面側に配置され、前記打撃部に取外自在として固定される複数種のウエイト部と、を有し、複数種のウエイト部は、円柱直径の相異する同一金属で形成され、複数種から１のウエイト部を選択し、選択したウエイト部は、前記打撃部に取外自在として固定される
ことを特徴とする請求項１乃至請求項３の何れかに記載の杭打込みハンマーである。
【００１０】
本考案に係る請求項５は、金属棒又は金属管で形成される複数本のハンドル軸を備え、複数本のハンドル軸は、前記各ウエイト部に２本配置され、前記各ウエイト部の２本のハンドル軸は、前記ウエイト部の周方向に等間隔を隔てて配置され、前記ウエイト部の外周面から前記ウエイト部のウエイト柱中心線と直交する方向に延在されて、前記ウエイト部に固定されることを特徴とする請求項４に記載の杭打込みハンマーである。
【００１１】
本考案に係る請求項６は、一方の杭端を地面に接地して、地面に立上げられる円筒状又は円柱状の杭において、前記杭の他方の杭端を打撃して、前記杭を地中に打込む杭打込みハンマー装置であって、前記杭の他方の杭端を打撃する杭打込みハンマーと、前記杭打込みハンマーを打撃する補助ハンマーと、で構成され、前記杭打込みハンマーは、鉄筋を含む金属丸棒で形成され、軸中心線を平行として配置される３本の杭案内軸と、金属円柱で形成され、一方のハンマー柱端面から前記各杭案内軸の一方の軸端側に固定される杭打撃ハンマーと、金属平板で形成され、前記杭を挿入する杭挿入円穴を有し、各保持板平面を前記各杭案内軸の軸中心線と直交して、前記杭打撃ハンマーの一方のハンマー柱端面及び前記各杭案内軸の他方の軸端の間に間隔を隔てて配置され、前記各杭案内軸に固定される複数枚の軸保持板と、を備え、前記杭打撃ハンマーは、一方のハンマー柱端面に、前記各杭案内軸の軸中心線と直交して、前記杭打撃ハンマーのハンマー柱中心線を中心として配置され、前記杭の他方の杭端に当接可能な打撃平面と、前記各杭案内軸の軸中心線と直交して前記打撃平面と同心に配置される穴底平面を有し、前記穴底平面から前記杭打撃ハンマーのハンマー柱中心線の方向に延在して、他方のハンマー柱端面に開口され、穴内周面を前記杭の杭外周面に摺接し、及び前記杭の他方の杭端を前記穴底平面に当接して前記杭を挿入する杭案内円穴と、を有し、前記杭案内円穴は、前記穴底平面及び前記杭打撃ハンマーの他方のハンマー柱端面の間に穴長を有し、前記杭挿入円穴は、前記打撃平面と同心に配置され、前記各杭案内軸の軸中心線の方向にて前記各軸保持板を貫通して、各保持板平面に開口され、前記各杭案内軸は、前記杭打撃ハンマーの一方のハンマー柱端面及び他方の軸端の間に、前記杭案内円穴の前記穴長より長い案内軸長を有し、前記杭挿入円穴の周方向に等間隔を隔てて配置され、前記杭挿入円穴の内側に突出して配置され、前記杭挿入円穴の穴中心線を中心とし、前記杭挿入円穴に挿入された前記杭の杭外周面に摺接自在とする摺接円に、前記杭挿入円穴の内側に突出した軸外周面を接して配置され、前記補助ハンマーは、金属丸棒で形成され、打撃軸外周面を前記各軸案内軸の軸外周面に摺接して、前記各軸保持板の前記杭挿入円穴に挿入される１本の打撃軸と、金属円柱で形成され、前記打撃軸と同心に配置され、一方の補助ウエイト柱端面から前記打撃軸の一方の打撃軸端側に固定される補助ウエイトと、を備え、前記打撃軸は、前記補助ウエイトの一方の補助ウエイト柱端面及び他方の打撃軸端の間に、前記各杭案内軸の案内軸長より長い打撃軸長を有することを特徴とする杭打込みハンマー装置である。
【００１２】
本考案に係る請求項７は、金属平板で形成され、前記各杭案内軸の間に配置される複数枚の杭案内板を備え、複数枚の杭案内板は、前記杭案内軸の間に１枚配置され、前記杭案内軸の間の１枚の杭案内板は、一方の案内板平面を前記杭挿入円穴の内側に突出して、前記各軸保持板の間に延在され、前記杭案内円穴の内側に突出した一方の案内板平面を前記摺接円に接して配置されることを特徴とする請求項６に記載の杭打込みハンマー装置である。
【００１３】
本考案に係る請求項８は、金属平板で形成され、前記各杭案内軸の間に配置される複数枚の杭案内板を備え、複数枚の杭案内板は、前記各杭案内軸の間に２枚配置され、前記各杭案内軸の間の２枚の杭案内板は、前記杭挿入円穴の周方向に並べて配置され、一方の案内板平面を前記杭挿入円穴の内側に突出して、前記各軸保持板の間に延在され、前記杭案内円穴の内側に突出した一方の案内板平面を前記摺接円に接して配置されることを特徴とする請求項６に記載の杭打込みハンマー装置である。
【００１４】
本考案に係る請求項９は、前記杭打撃ハンマーは、一方のハンマー柱端面側の円柱ハンマー部と、他方のハンマー柱端面側の円錐台形ハンマー部と、を有し、前記円柱ハンマー部は、一方のハンマー柱部端面に前記打撃平面を有し、一方のハンマー柱部端面から前記各杭案内軸の一方の軸端側に固定され、前記円錐台形ハンマー部は、前記円柱ハンマー部の他方のハンマー柱部端面に一体に形成され、前記杭打撃ハンマーのハンマー柱中心線の方向において、前記円柱ハンマー部の他方のハンマー柱部端面から縮径しつつ前記杭打撃ハンマーの他方のハンマー柱端面に延在されることを特徴とする請求項６乃至請求項８の何れかに記載の杭打込みハンマー装置である。
【００１５】
本考案に係る請求項１０は、前記円錐台形ハンマー部は、前記円柱ハンマー部の他方のハンマー柱部端面及び前記杭打撃ハンマーの他方のハンマー柱端面の間に、前記杭案内円穴の穴長より長い円錐高を有することを特徴とする請求項９に記載の杭打込みハンマー装置である。
【００１６】
本考案に係る請求項１１は、金属棒又は金属管で形成される２本のハンドル軸を備え、前記各ハンドル軸は、前記円柱ハンマー部の周方向に等間隔を隔てて配置され、前記円柱ハンマー部のハンマー外周面から前記円柱ハンマー部のハンマー柱部中心線と直交する方向に延在され、前記円柱ハンマー部に固定されることを特徴とする請求項９又は請求項１０に記載の杭打込みハンマー装置である。
【００１７】
本考案に係る請求項１２は、前記補助ウエイトは、金属円柱で形成され、一方の第１ウエイト柱端面から前記打撃軸の一方の打撃軸端側に固定される第１補助ウエイト部と、金属円柱に形成され、一方の第２ウエイト柱端面から前記第１補助ウエイト部の他方の第１ウエイト柱端面側に配置され、前記第１補助ウエイト部に取外自在として固定される複数種の第２補助ウエイト部と、を有し、複数種の第２補助ウエイト部は、円柱直径の相異する同一金属で形成され、複数種から１の第２補助ウエイト部を選択し、選択した第２補助ウエイト部は、前記第１補助ウエイト部に取外自在として固定されることを特徴とする請求項６乃至請求項１１の何れかに記載の杭打込みハンマー装置である。
【００１８】
本考案に係る請求項１３は、金属棒又は金属管で形成される複数本の補助ハンドル軸を備え、複数本の補助ハンドル軸は、前記各第２補助ウエイト部に２本配置され、前記各第２補助ウエイト部の２本の補助ハンドル軸は、前記第２補助ウエイト部の周方向に等間隔を隔てて配置され、前記第２補助ウエイト部のウエイト外周面から前記第２補助ウエイト部の第２ウエイト柱中心線と直交する方向に延在されて、前記第２補助ウエイト部に固定されることを特徴とする請求項１２に記載の杭打込みハンマー装置である。
【考案の効果】
【００１９】
本考案に係る請求項１では、杭は、他方の杭端から各杭案内軸に間に挿入される。杭は、杭外周面を各杭案内軸の軸外周面に摺接（当接）して各杭案内軸の間に挿入される。杭打込みハンマーは、各杭案内軸の他方の軸端から杭を各杭案内軸の間（各軸保持板の杭挿入円穴内）に挿入して、杭に外嵌される。
杭を挿入した杭打込みハマーは、杭の一方の杭端を地面に接地して、杭と共に地面に立上げられる。
杭を地面に立上げた状態において、杭打込みハンマーは、杭に対して引上げられ、及び杭に向けて落下される。杭打込みハンマーを落下すると、杭打撃ハンマーの打撃平面は、杭の他方の杭端に当接し、杭打撃ハンマーを含む杭打込みハンマーの重量によって杭を打撃する。
これにより、杭打込みハンマーを落下するだけで、杭打撃ハンマーを含む杭打込みハンマーの重量による打撃力によって、杭を地中に打込めるので、杭打ちの労力及び時間を要することなく、効率的に杭を地中に打込むことができる。
杭打込みハンマーを落下すると、各杭案内軸は、軸外周面を杭の杭外周面に摺接して、杭を案内（ガイド）して、杭の杭中心線を杭打撃ハンマー（打撃平面）のハンマー柱中心線に位置（一致）させる。
これにより、杭打込みハンマーは、杭打撃ハンマー（打撃平面）のハンマー柱中心を杭の杭中心線に位置（一致）した状態において、杭に向けて落下され、杭の他方の杭端を打撃することから、十分で偏りのない打撃力によって杭を地中に打込むことができる。
杭打込みハンマーの落下時、各杭案内軸の軸外周面及び杭の杭外周面を摺接することから、各杭案内軸及び杭の接触面積を小さくでき、杭打込みハンマーを円滑に落下させることができる。
【００２０】
本考案に係る請求項２では、杭は、他方の杭端から各杭案内軸の間、及び各杭案内板の間に挿入される。杭は、杭外周面を各杭案内軸の軸外周面、及び各杭案内板の一方の案内板平面に摺接（当接）して、各杭案内軸の間及び各杭案内板の間に挿入される。
これにより、各杭案内板及び各杭案内軸によって、杭の杭中心線を杭打撃ハンマーのハンマー柱中心線に位置（一致）して配置できる。
各杭案内板は、各杭案内軸の間に配置されて、各杭案内軸の間を閉塞するので、杭打込みハンマーの落下時、作業者（人）の指等が各杭案内軸の間に入ることを防止できる。
【００２１】
本考案に係る請求項３では、杭は、他方の杭端から各杭案内軸の間、及び各杭案内板の間に挿入される。杭は、杭外周面を各杭案内軸の軸外周面、及び各杭案内板の一方の案内板平面に摺接（当接）して、各杭案内軸の間及び各杭案内板の間に挿入される。
これにより、各杭案内板及び各杭案内軸によって、杭の杭中心線を杭打撃ハンマーのハンマー柱中心線に位置（一致）して配置できる。
各杭案内板は、各杭案内軸の間に配置されて、各杭案内軸の間を閉塞するので、杭打込みハンマーの落下時、作業者（人）の指等が各杭案内軸の間に入ることを防止できる。
【００２２】
本考案に係る請求項４では、円柱直径の相異する同一金属でウエイト部を形成するとことで、重量の相異する複数種のウエイト部を構成できる。
これにより、複数種のウエイト部から、１のウエイト部を選択して、選択したウエイト部を打撃部に取付けて固定することで、杭打込みハンマーによって杭の他方の杭端を打撃する打撃力を調整できる。
【００２３】
本考案に係る請求項５では、打撃部に固定したウエイト部の各ハンドル軸を把持することで、杭打込みハンマーを杭に対して容易に引上げることができ、各ハンドル軸を離すことで、杭打込みハンマーを杭に向けて落下させることができる。
【００２４】
本考案に係る請求項６では、杭は、他方の杭端から各杭案内軸の間に挿入される。杭は、杭外周面を各杭案内軸の軸外周面に摺接（当接）して各杭案内軸の間に挿入される。杭打込みハンマーは、各杭案内軸の他方の軸端から杭を各杭案内軸の間（各軸保持板の杭挿入円穴内）に挿入して、杭に外嵌される。
杭を挿入した杭打込みハンマーは、杭の一方の杭端を地面に接地し、杭と共に地面に立上げられる。
杭を地面に立上げた状態において、杭打込みハンマーは、杭に対して引上げられ、及び杭に向けて落下される。杭込みハンマーを落下すると、杭打撃ハンマーの打撃平面は、杭の他方の杭端に当接し、杭打撃ハンマーを含む杭打込みハンマーの重量によって杭を打撃する。
これにより、杭打込みハンマーを落下するだけで、杭打撃ハンマーを含む杭打込みハンマーの重量よる打撃力によって、杭を地中に打込めるので、杭打ちの労力及び時間を要することなく、効率的に杭を地中に打込むことができる。
杭打込みハンマーを落下すると、各杭案内軸は、軸外周面を杭の杭外周面に摺接して、杭を案内（ガイド）して、杭の杭中心線を杭打撃ハンマー（打撃平面）のハンマー柱中心線に位置（一致）させる。
これにより、杭打込みハンマーは、杭打撃ハンマー（打撃平面）のハンマー柱中心線を杭の杭中心線に位置（一致）した状態において、杭に向けて落下され、杭の他方の杭端を打撃することから、十分で偏りのない打撃力によって杭を地中に打込むことができる。
杭を打撃して、各杭案内軸の他方の軸端が地面に接地（当接）するまで、杭を地中に打込むと、杭打込みハンマーを杭に対して引上げて、各杭案内軸の間から杭を抜いて、杭から杭打込みハンマーを取除く。
杭から取除いた杭打込みハンマーは、各杭案内軸の他方の杭端及び杭打撃ハンマーを反転して、地中に打込んだ杭を杭案内円穴に挿入して、杭に外嵌される。地中に打込まれた杭は、他方の杭端から杭打込みハンマーの杭案内円穴に挿入され、杭の杭外周面を杭案内円穴の穴内周面に摺接（当接）し、及び杭の他方の杭端を杭案内円穴の穴底平面に当接して配置される。
杭打込みハンマーの杭案内円穴に杭を挿入すると、杭は、杭案内円穴で案内（ガイド）されて、杭中心線を杭打撃ハンマーのハンマー柱中心線に一致して、杭打撃ハンマーと同心に配置される。
杭打込みハンマーの杭案内穴に杭を挿入すると、補助ハンマーの打撃軸を各軸案内軸の他方の軸端から各軸保持板の杭案内穴（各杭案内軸の間）に挿入する。補助ハンマーの打撃軸は、打撃軸外周面を各杭案内軸の軸外周面に摺接（当接）して、各杭案内軸の間に挿入される。打撃軸は、各杭案内軸にて案内（ガイド）されて、打撃軸中心線を杭打撃ハンマー（打撃平面）のハンマー柱中心線に一致して配置される。
打撃軸を各杭案内軸の間に挿入した状態において、補助ハンマーは、杭打込みハンマー（地中に打込まれた杭）に対して引上られ、及び杭打込みハンマーに向けて落下される。補助ハンマーを落下すると、打撃軸の他方の打撃軸端は、杭打込みハンマーの打撃平面に当接し、補助ウエイトを含む補助ハンマーの重量によって杭打込みハンマーを打撃し、杭打撃ハンマーの杭案内円穴の穴底平面から杭を打撃する。
これにより、補助ハンマーを落下するだけで、補助ウエイト含む補助ハンマーの重量によって、杭打込みハンマーで地中に打込まれた杭を更に、地中に打ち込みことができる。
補助ハンマーを落下すると、各杭案内軸は、軸外周面を打撃軸の打撃軸外周面に摺接して、打撃軸を案内（ガイド）して、打撃軸中心線を杭打撃ハンマー（打撃平面）のハンマー柱中心線に位置（一致）させる。
これにより、補助ハンマーは、補助ウエイトのウエイト柱中心線を杭打撃ハンマー（打撃平面）のハンマー柱中心線に位置（一致）した状態において、杭打込みハンマーの打撃平面に向けて落下され、杭打込みハンマーの打撃平面を打撃することから、十分で偏りのない打撃力によって杭を地中に打込むことができる。
補助ハンマーの落下時、打撃軸の打撃軸外周面及び各杭案内軸の軸外周面を摺接することから、打撃軸及び各杭案内軸の接触面積を小さくでき、補助ハンマーを円滑に落下させることができる。
【００２５】
本考案に係る請求項７では、杭は、他方の杭端から各杭案内軸の間、及び各杭案内板の間に挿入される。杭は、杭外周面を各杭案内軸の軸外周面、及び各杭案内板の一方の案内板平面に摺接（当接）して、各杭案内軸の間及び各杭案内板の間に挿入される。
これにより、各杭案内板及び各杭案内軸によって、杭の杭中心線を杭打撃ハンマーのハンマー柱中心線に位置（一致）して配置できる。
補助ハンマーの打撃軸は、他方の打撃軸端から各杭案内軸の間、及び各杭案内板の間に挿入される。打撃軸は、打撃軸外周面を各杭案内軸の軸外周面、及び各杭案内板の一方の案内板平面に摺接（当接）して、各杭案内軸の間、及び各杭案内板の間に挿入される。
これにより、各杭案内軸及び各杭案内板によって、打撃軸の打撃軸中心線（補助ウエイトのウエイト柱中心線）を杭打撃ハンマーのハンマー柱中心線に位置（一致）して配置できる。
各杭案内板は、各杭案内軸の間に配置されて、各杭案内軸の間を閉塞するので、杭打込みハンマー又は補助ハンマーの落下時、作業者（人）の指等が各杭案内軸の間に入ることを防止できる。
【００２６】
本考案に係る請求項８では、杭は、他方の杭端から各杭案内軸の間、及び各杭案内板の間に挿入される。杭は、杭外周面を各杭案内軸の軸外周面、及び各杭案内板の一方の案内板平面に摺接（当接）して、各杭案内軸の間及び各杭案内板の間に挿入される。
これにより、各杭案内板及び各杭案内軸によって、杭の杭中心線を杭打撃ハンマーのハンマー柱中心線に位置（一致）して配置できる。
補助ハンマーの打撃軸は、他方の打撃軸端から各杭案内軸の間、及び各杭案内板の間に挿入される。打撃軸は、打撃軸外周面を各杭案内軸の軸外周面、及び各杭案内板の一方の案内板平面に摺接（当接）して、各杭案内軸の間、及び各杭案内板の間に挿入される。
これにより、各杭案内軸及び各杭案内板によって、打撃軸の打撃軸中心線（補助ウエイトのウエイト柱中心線）を杭打撃ハンマーのハンマー柱中心線に位置（一致）して配置できる。
各杭案内板は、各杭案内軸の間に配置されて、各杭案内軸の間を閉塞するので、杭打込みハンマー又は補助ハンマーの落下時、作業者（人）の指等が各杭案内軸の間に入ることを防止できる。
【００２７】
本考案に係る請求項９では、 補助ハンマーによって杭打込みハンマーを打撃することで、杭打撃ハンマーの円錐台形ハンマー部を杭と共に地中に打込むことができ、杭案内円穴内に位置する杭の他方の杭端側を地中に打込むことが可能となる。
【００２８】
本考案に係る請求項１０では、補助ハンマーによって杭打込みハンマーを打撃して、杭打撃ハンマーの円錐台形ハンマー部を杭と共に地中に打込むことができ、円錐台形ハンマー部を完全に地中に打込むことで、杭を完全に地中に打込むこと、即ち、杭の杭全長にわたって地中に打込むことが可能となる。
【００２９】
本考案に係る請求項１１では、円柱ハンマー部の各ハンドル軸を把持することで、杭打込みハンマーを杭に対して容易に引上げることができ、各ハンドル軸を離すことで、杭打込みハンマーを杭に向けて落下させることができる。
【００３０】
本考案に係る請求項１２では、円柱直径の相異する同一金属で第２補助ウエイト部を形成することで、重量の相異する複数種の第２補助ウエイト部を構成できる。
これにより、複数種の第２補助ウエイト部から、１の第２補助ウエイト部を選択して、選択した第２補助ウエイト部を第１補助ウエイト部に取付けて固定することで、補助ハンマーによって杭打込みハンマーを打撃する打撃力を調整できる。
【００３１】
本考案に係る請求項１３では、第１補助ウエイト部に固定した第２補助ウエイト部の各補助ハンドル軸を把持することで、補助ハンマーを杭打込みハンマーに対して容易に引上げることができ、各補助ハンドル軸を離すことで、補助ハンマーを杭打込みハンマーに向けて落下させることができる。
【図面の簡単な説明】
【００３２】
【図１】杭打込みハンマーを示す左上方斜視図である。
【図２】杭打込みハンマーを示す右上方斜視図である。
【図３】杭打込みハンマーを示す正面図である。
【図４】杭打込みハンマーを示す背面図である。
【図５】杭打込みハンマーを示す左側面図である。
【図６】杭打込みハンマーを示す右側面図である。
【図７】杭打込みハンマーを示す拡大上面図である。
【図８】杭打込みハンマーを示す拡大下面図である。
【図９】図５のＡ−Ａ断面図である。
【図１０】図３の一部拡大正面図である。
【図１１】図１０のＢ−Ｂ拡大断面図である。
【図１２】図１０のＣ−Ｃ拡大断面図である。
【図１３】図１０のＤ−Ｄ拡大断面図である。
【図１４】図１３の一部拡大図であって、杭挿入円穴、軸配置円、摺接円、各杭案内軸、各杭案内板の関係を示す図である。
【図１５】図９の一部拡大図である。
【図１６】杭を打込む工程において、杭打込みハンマーを杭に外嵌して、地面に立上げた状態を示す図である。
【図１７】図１６のＥ−Ｅ拡大断面図である。
【図１８】図１６のＦ−Ｆ拡大断面図である。
【図１９】杭を打込む工程において、杭を地中に打打ち込んだ状態を示す図である。
【図２０】図１９のＧ−Ｇ拡大断面図である。
【図２１】杭打込みハンマーにおいて、杭を示す図であって、（ａ）全体図、（ｂ）は図２１（ａ）の一部拡大図である。
【図２２】杭打込みハンマーにおいて、複数種のウエイト部、複数本のハンドル軸を示す正面図である。
【図２３】複数種から１のウエイト部を選択し、選択したウエイト部を打撃部に取外自在として固定した部分拡大断面図である。
【図２４】複数種から他の１のウエイト部を選択し、選択したウエイト部を打撃部に取外自在として固定した部分拡大断面図である。
【図２５】杭打込みハンマーにおいて、各杭案内軸の間に１枚の杭案内板を配置した図である。
【図２６】杭打込みハンマー装置において、杭打込みハンマーを示す左上方斜視図である。
【図２７】杭打込みハンマー装置において、杭打込みハンマーを示す右上方斜視図である。
【図２８】杭打込みハンマー装置において、杭打込みハンマーを示す正面図である。
【図２９】杭打込みハンマー装置において、杭打込みハンマーを示す背面図である。
【図３０】杭打込みハンマー装置において、杭打込みハンマーを示す左側面図である。
【図３１】杭打込みハンマー装置において、杭打込みハンマーを示す右側面図である。
【図３２】杭打込みハンマー装置において、杭打込みハンマーを示す拡大上面図である。
【図３３】杭打込みハンマー装置において、杭打込みハンマーを示す拡大下面図である。
【図３４】図２９のＨ−Ｈ断面図である。
【図３５】図２７の一部拡大正面図である。
【図３６】図３４のＩ−Ｉ拡大断面図である。
【図３７】図３４のＪ−Ｊ拡大断面図である。
【図３８】図３４のＫ−Ｋ拡大断面図である。
【図３９】図３８の一部拡大図であって、杭挿入円穴、軸配置円、摺接円、各杭案内軸、各杭案内板の関係を示す図である。
【図４０】図３３の一部拡大図である。
【図４１】杭打込みハンマー装置において、補助ハンマーを示す下方斜視図である。
【図４２】杭打込みハンマー装置において、補助ハンマーを示す正面図である。
【図４３】杭打込みハンマー装置において、補助ハンマーを示す側面図である。
【図４４】杭打込みハンマー装置において、補助ハンマーを示す拡大上面図である。
【図４５】杭打込みハンマー装置において、補助ハンマーを示す拡大下面図である。
【図４６】図４２のＩ−Ｉ拡大断面図である。
【図４７】杭を打込む工程において、杭打込みハンマー装置の杭打込みハンマーを杭に外嵌して、地面に立上げた状態を示す図である。
【図４８】図４７のＪ−Ｊ拡大断面図である。
【図４９】図４７のＫ−Ｋ拡大断面図である。
【図５０】杭を打込む工程において、杭を途中まで地中に打込んだ状態を示す図である。
【図５１】図５０のＬ−Ｌ拡大断面図である。
【図５２】杭を打込む工程において、杭打込みハンマー装置の杭打込みハンマーを反転して、地中に打込んだ杭に外嵌した状態を示す図である。
【図５３】図５２のＭ−Ｍ拡大断面図である。
【図５４】杭を打込む工程において、杭打込みハンマー装置の杭打込みハンマー、及び補助ハンマーを示す図である。
【図５５】杭を打込む工程において、杭打込みハンマー装置の補助ハンマーを杭打込みハンマーに取付けた状態を示す図である。
【図５６】図５５のＮ−Ｎ拡大断面図である。
【図５７】図５５のＯ−Ｏ拡大断面図である。
【図５８】杭を打込む工程において、杭打込みハンマー装置の補助ハンマーを杭打込みハンマーに対して引上げた状態を示す図である。
【図５９】図５８のＰ−Ｐ拡大断面図である。
【図６０】杭を打込む工程において、杭を完全に地中に打込んだ状態を示す図である。
【図６１】図６０のＱ−Ｑ拡大断面図である。
【図６２】杭打込みハンマー装置において、杭を示す図であって、（ａ）は全体図、（ｂ）は図６２（ａ）の一部拡大図である。
【図６３】杭打込みハンマー装置において、複数種の第２補助ウエイト部、複数本の補助ハンドル軸を示す正面図である。
【図６４】複数種から１の第２補助ウエイト部を選択し、選択した第２補助ウエイト部を第１補助ウエイト部に取外自在として固定した部分拡大断面図である。
【図６５】複数種から他の１の第２補助ウエイト部を選択し、選択した第２補助ウエイト部を第１補助ウエイト部に取外自在として固定した部分拡大断面図である。
【図６６】杭打込みハンマー装置において、各杭案内軸の間に２枚の杭案内板を配置した図である。
【考案を実施するための形態】
【００３３】
本考案に係る杭打込みハンマー、及び杭打込みハンマー装置について、図１乃至図６６を参照して説明する。
【００３４】
＜杭打込みハンマーＸ＞
以下、杭打込みハンマーについて、図１乃至図２５を参照して説明する。
【００３５】
杭打込みハンマーＸは、図１６乃至図２０に示すように、杭ＫＭの他方の杭端Ｋｂを打撃して、杭ＫＭを地中ＥＳに打込む。
【００３６】
杭打込みハンマーＸは、図１乃至図１５に示すように、３本の杭案内軸１と、杭打撃ハンマー２と、複数枚（例えば、５枚）の軸保持板３と、複数枚（例えば、２４枚）の杭案内板４と、２本のハンドル軸５とを備える。
【００３７】
３本の各杭案内軸１は、鉄筋を含む金属丸棒で形成され、例えば、鉄筋、鉄丸棒、鋼丸棒で形成される。
各杭案内軸１は、図１乃至図６、及び図８乃至図１５に示すように、軸中心線Ｌ１を相互に平行して配置される。
【００３８】
杭打撃ハンマー２は、金属円柱に形成され、例えば、鉄円柱、鋼円柱に形成される。
杭打撃ハンマー２は、図１乃至図１５に示すように、ハンマー柱中心線Ｌ２の方向の一方のハンマー柱端面２Ａに、ハンマー柱中心線Ｌ２を中心として配置され、杭ＫＭの他方の杭端Ｋｂに当接可能な円形の打撃平面１０を有する。杭打撃ハンマー２は、ハンマー柱中心線Ｌ２を各杭案内軸１の軸中心線Ｌ１に平行して配置される。杭打撃ハンマー２は、打撃平面１０を各杭案内軸１の軸中心線Ｌ１と直交して、一方のハンマー柱端面２Ａから各杭案内軸１の一方の軸端１Ａ側に固定される。
これにより、打撃平面１０は、各杭案内軸１の軸中心線Ｌ１と直交して、杭打撃ハンマー２の一方のハンマー柱端面２Ａに形成される。
【００３９】
杭打撃ハンマー２は、図１乃至図６、図８乃至図１３及び１５に示すように、例えば、打撃部１１と、ウエイト部１２を有して構成される。
杭打撃ハンマー２は、図１０乃至図１３、及び図１５に示すように、複数（３つ）の軸円穴１６、杭端円穴１７、ネジ挿入円穴１８、ネジ円穴１９、円錐台形穴２０、ボルト円穴２１、及び取付ボルトネジ２２を有する。
【００４０】
打撃部１１は、金属円柱で形成され、例えば、鉄円柱、鋼円柱で形成される。
打撃部１１は、図１２及び図１３に示すように、一方の打撃柱端面１１Ａに打撃平面１０を有する。打撃部１１は、例えば、打撃円柱部材１３と、打撃円錐台形部材１５を有して構成される。
【００４１】
打撃円錐台形部材１５は、図４乃至図６に示すように、杭打撃ハンマー２のハンマー柱中心線Ｌ２を中心として、打撃円柱部材１３と同心に配置される。打撃円錐台形部材１５は、ハンマー柱中心線Ｌ２の方向において、一方の円錐材端面１５Ａ（円錐底面）を打撃円柱部材１３の他方の柱部端面１３Ｂに当接して、打撃円柱部材１３に固定される。
打撃円錐台形部材１５は、ハンマー柱中心線Ｌ２の方向において、打撃円柱部材１３の他方の柱部端面１３Ｂから縮径しつつ打撃部１１の他方の打撃柱端面１１Ｂに延在される。
【００４２】
打撃部１１は、各軸円穴１６、杭端円穴１７、ネジ挿入円穴１８（第１ネジ挿入円穴）、ネジ円穴１９を有する。
【００４３】
３つの各軸円穴１６は、図１乃至６、図１０、図１１及び図１５に示すように、打撃円柱部材１３（打撃部１１）に形成される。各軸円穴１６は、図１２に示すように、ハンマー柱中心線Ｌ２を中心とする半径Ｒの穴配置円Ｃ１上に、穴中心を位置（一致）して配置される。
各軸円穴１６は、ハンマー柱中心線Ｌ２の方向において、打撃円柱部材１３内を延在して形成される。各軸円穴１６は、ハンマー柱中心線Ｌ２の方向において、打撃円柱部材１３の一方の柱部端面１３Ａに開口される。なお、打撃円柱部材１３の一方の柱部端面１３Ａは、杭打撃ハンマー２の一方のハンマー柱端面２Ａ、及び打撃部１１の一方の打撃柱端面１１Ａとなる。
【００４４】
打撃部１１（打撃円柱部材１３）は、ハンマー柱中心線Ｌ２を各杭案内軸１の軸中心線Ｌ１に平行して配置される。打撃部１１は、一方の打撃柱端面１１Ａ（一方の柱部端面１３Ａ）から各杭案内軸１の一方の軸端１Ａ側を各軸円穴１６内に挿入して、各杭案内軸１の一方の軸端１Ａ側に固定される。
各杭案内軸１は、一方の軸端１Ａ側を打撃部１１（打撃円柱部材１３）の各軸円穴１６内に挿入して、打撃部１１（打撃円柱部材１３）に固定される。
【００４５】
杭端円穴１７は、図８、図９、図１２、図１３及び図１５に示すように、打撃円柱部材１３（打撃部１１）に形成される。
杭端円穴１７は、ハンマー柱中心線Ｌ２を中心として、穴配置円Ｃ１と同心に配置される。杭端円穴１７は、各杭案内軸１の内側に配置されて、打撃円柱部材１３（打撃部１１）に形成される。杭端円穴１７は、ハンマー柱中心線Ｌ２の方向において、打撃円柱部材１３内を延在して形成される。杭端円穴１７は、ハンマー柱中心線Ｌ２の方向に穴深さを有して、打撃円柱部材１３の一方の柱部端面１３Ａ（打撃部１１の一方の打撃柱端面１１Ａ）に開口される。
杭端円穴１７は、図１２乃至図１４に示すように、ハンマー柱中心線Ｌ２の方向において、穴底平面であって、各杭案内軸１の軸中心線Ｌ２と直交する円形の打撃平面１０を形成する。
これにより、杭端円穴１７は、円内周面、及び打撃平面１０にて打撃部１１の一方の打撃柱端面１１Ａの一部（杭打撃ハンマー２の一方のハンマー柱端面２Ａの一部）を形成し、打撃円柱部材１３（杭打撃ハンマー２、打撃部１１）は、一方の柱部端面１３Ａ（一方のハンマー柱端面２Ａ、一方の打撃柱端面１１Ａ）に打撃平面１０（円形の打撃平面）を有する。
杭端円穴１７は、図１２に示すように、穴直径：ＤＦを有する。
【００４６】
ネジ挿入円穴１８は、図９、及び図１２、図１３及び図１５に示すように、打撃円柱部材１３（打撃部１１）に形成される。ネジ挿入円穴１８は、ハンマー柱中心線Ｌ２を中心として、杭端円穴１７と同心に配置される。
ネジ挿入円穴１８は、ハンマー柱中心線Ｌ２の方向において、杭端円穴１７に連続して形成される。
ネジ挿入円穴１８は、ハンマー柱中心線Ｌ２の方向において、杭端円穴１７の打撃平面１０（穴底平面）から縮径して形成され、打撃円柱部材１３の他方の柱部端面１３Ｂ（打撃部１１の他方の打撃柱端面１１Ｂ）に向けて、打撃円柱部材１３内に延在して形成される。
ネジ挿入円穴１８は、ハンマー柱中心線Ｌ２の方向において、打撃平面１０（杭端円穴１７の穴底平面）に開口されて、杭端円穴１７内に連通される。
ネジ挿入円穴１８は、図１２に示すように、穴直径：ＤＧを有する。
【００４７】
ネジ円穴１９は、図９、図１４及び図１５に示すように、打撃円柱部材１３及び打撃円錐台形部材１５（打撃部１１）に形成される。ネジ円穴１９は、ハンマー柱中心線Ｌ２を中心として、穴配置円Ｃ１及び杭端円穴１７と同心に配置される。
ネジ円穴１９は、ハンマー柱中心線Ｌ２の方向において、打撃円柱部材１３内及び打撃円錐台形部材１５内（打撃部１１内）に延在して形成され、打撃円錐台形部材１５の他方の円錐材端面１５Ｂ（打撃部１１の他方の打撃柱端面１１Ｂ）に開口される。
【００４８】
ウエイト部１２は、金属円柱で形成され、例えば、鉄円柱、鋼円柱で形成される。
ウエイト部１２は、図９及び図１４に示すように、円錐台形穴２０及びボルト円穴２１を有する。
【００４９】
円錐台形穴２０は、図１５に示すように、ウエイト部１２に形成される。円錐台形穴２０は、ハンマー柱中心線Ｌ２を中心として、打撃円錐台形部材１５（杭端円穴１７、ネジ挿入円穴１８、ネジ円穴１９）と同心に配置される。円錐台形穴２０は、ハンマー柱中心線Ｌ２の方向において、ウエイト部１２内を延在して形成される。
円錐台形穴２０は、ウエイト部１２の一方のウエイト柱端面１２Ａに開口される。円錐台形穴２０は、ハンマー柱中心線Ｌ２の方向において、ウエイト部１２の一方のウエイト柱端面１２Ａから縮径しつつウエイト部１２の他方のウエイト柱端面１２Ｂ（杭打撃ハンマー２の他方のハンマー柱端面２Ｂ）に向けて延在される。
【００５０】
ボルト円穴２１は、図１４に示すように、ウエイト部１２に形成される。ボルト円穴２１は、ハンマー柱中心線Ｌ２を中心として、円錐台形穴２０及びネジ円穴１９と同心に配置される。ボルト円穴２１は、ハンマー柱中心線Ｌ２の方向において、ウエイト部１２内を延在して形成される。
ボルト円穴２１は、ハンマー柱中心線Ｌ２の方向において、ウエイト部１２を貫通して、円錐台形穴２０、及びウエイト部１２の他方のウエイト柱端面１２Ｂに開口される。なお、ウエイト部１２の他方のウエイト柱端面１２Ｂは、杭打撃ハンマー２の他方のハンマー柱端面２Ｂとなる。
【００５１】
ウエイト部１２は、図１乃至図６、及び図１５に示すように、打撃部１１（打撃円錐台形部材１５）に取付けられる。ウエイト部１２は、一方のウエイト柱端面１２Ａ（円錐台形穴２０）から打撃部１１の他方の打撃柱端面１１Ｂ側（打撃円錐台形部材１５）に配置される。
ウエイト部１２は、円錐台形穴２０内に打撃円錐台形部材１５を挿入して、打撃部１１に取付けられる。
打撃部１１は、打撃円錐台形部材１５を円錐台形穴２０内に挿入して、ウエイト部１２に連続して配置される。
打撃部１１及びウエイト部１２は、打撃円錐台形部材１５の円錐外周面１５Ｃ、及び円錐台形穴２０の円錐内周面２０Ｃを当接し、他方の打撃柱端面１１Ｂ（打撃円錐台形部材１５の他方の円錐材端面１５Ｂ）及び円錐台形穴２０の穴底平面を当接して配置される。
これにより、ウエイト部１２は、杭打撃ハンマー２のハンマー柱中心線Ｌ２を中心として、打撃部１１と同心に配置される。
【００５２】
取付ボルトネジ２２は、図１５に示すように、ボルトネジ軸２２Ａ、及びボルトネジ軸２２Ａの一方のネジ軸端に固定されるボルト頭部２２Ｂを有する。
取付ボルトネジ２２は、ウエイト部１２の他方のウエイト柱端面１２Ｂ（杭打撃ハンマー２の他方のハンマー柱端面２Ｂ）からボルトネジ軸２２Ａをウエイト部１２のボルト円穴２１に挿入して、打撃部１１のネジ円穴１９に螺着して配置される。
取付ボルトネジ２２は、打撃部１１に向けて回転して、ボルトネジ軸２２Ａをネジ円穴１９に螺入し、及びボルト頭部２２Ｂをウエイト部１２の他方のウエイト柱端面１２Ｂ（杭打撃ハンマー２の他方のハンマー柱端面２Ｂ）に当接して配置される。
これにより、ウエイト部１２は、取付ボルトネジ２２、及びネジ円穴１９によって、打撃部１１（打撃円錐台形部材１５）に取外自在として固定される。
【００５３】
複数枚の軸保持板３は、金属平板で形成され、例えば、鉄平板（鉄板）、鋼平板（鋼板）で形成される。
各軸保持板３は、図８、図９、図１３及び図１５に示すように、杭ＫＭを挿入する杭挿入円穴２５を有する。
各軸保持板３は、図１乃至図６、図９、図１０及び図１５に示すように、各杭案内軸１の軸中心線Ｌ１の方向において、杭打撃ハンマー２の一方のハンマー柱端面２Ａ（打撃平面１０）、及び各杭案内軸１の他方の軸端１Ｂの間に板間隔Ｆ１を隔てて配置される。
２枚の各軸保持板３は、杭打撃ハンマー２の一方のハンマー柱端面２Ａ（打撃平面１０）に隣接して配置され、及び各杭案内軸１の他方の軸端１Ｂ側に配置される。
各軸保持板３は、保持板表平面３Ａ及び保持板裏平面３Ｂ（各保持板平面）を各杭案内軸１の軸中心線Ｌ１と直交して、各杭案内軸１に固定される。
【００５４】
各軸保持板３の杭挿入円穴２５は、図８、図１３乃至図１５に示すように、杭打撃ハンマー２のハンマー柱中心線Ｌ２を中心として、杭打撃ハンマー２の打撃平面１０（穴配置円Ｃ１、杭端円穴１７）と同心に配置される。
杭挿入円穴２５は、各杭案内軸１の軸中心線Ｌ１にて各軸保持板３を貫通して、保持板表平面３Ａ及び保持板裏平面３Ｂに開口される。
杭挿入円穴２５は、図１４に示すように、杭ＫＭの杭外周直径：ＤＭより大きい穴直径：ＤＰを有する。
【００５５】
各杭案内軸１は、図８、図１３及び図１４に示すように、打撃平面１０（杭端円穴１７、ネジ挿入円穴１８）の外側に配置される。各杭案内軸１は、杭挿入円穴２５の穴中心線Ｌ３（杭打撃ハンマー２のハンマー柱中心線Ｌ２）を中心とする半径：Ｒ１の軸配置円ＣＰに、軸中心線Ｌ１を位置（一致）して配置されて、各軸保持板３に固定される。軸配置円ＣＰの半径：Ｒ１は、穴配置円Ｃ１の半径：Ｒと同一半径である（Ｒ１＝Ｒ）。
各杭案内軸１は、杭挿入円穴２５の周方向（軸配置円ＣＰの周方向）に等間隔（角度：１２０°）を隔てて配置されて、各軸保持板３に固定される。
各杭案内軸１は、図８、図１３及び図１４に示すように、各軸保持板３の杭挿入円穴２５の内側に突出され、杭挿入円穴２５の内側に突出した軸外周面１Ｃを摺接円ＣＳに接して配置される。
摺動円ＣＳは、各軸保持板３の杭挿入円穴２５の穴中心線Ｌ３を中心とし、各軸保持板３の杭挿入円穴２５に挿入された杭ＫＭの杭外周面に各杭案内軸１の軸外周面１Ｃを摺接自在（摺接可能）とする円である（図１７参照）。摺接円ＣＳは、各軸保持板３の杭挿入円穴２５の内側に位置して、杭ＫＭの杭外周半径：ＲＭ（杭外周直径ＤＭ＝２×ＲＭ）より僅かに大きい半径：ＲＳを有する。
これにより、各杭案内軸１は、軸外周面１Ｃを杭挿入円穴２５に挿入された杭Ｋの杭外周面に摺接自在（当接自在）として各軸保持板３の杭挿入円穴２５の内側に突出して配置される。
各杭案内軸１は、図４に示すように、軸中心線Ｌ１の方向において、打撃平面１０（杭打撃ハンマー２の一方のハンマー柱端面２Ａ）及び他方の軸端１Ｂの間に案内軸長（案内軸長さ）：ＬＹを有する。
【００５６】
複数枚（例えば、２４枚）の各杭案内板４は、金属平板で形成され、例えば、鉄平板（鉄板）、鋼平板（鋼板）で形成される。各杭案内板４は、各杭案内軸１の間に配置される。
複数枚の杭案内板４は、図１乃至図６、図９、図１０、図１３乃至図１５に示すように、各軸保持板３の杭挿入円穴２５の周方向（杭打撃ハンマー２の周方向）において、各杭案内軸１の間に２枚配置される。
各杭案内板４は、各杭案内軸１の軸中心線Ｌ１の方向において、各軸保持板３の間に６枚配置される。
各杭案内軸１の間の２枚の杭案内板４（各杭案内軸１の間に配置した２枚の杭案内板４）は、図１３に示すように、一方の案内板裏平面４Ｂ（一方の案内板平面）を各軸保持板３の杭挿入円穴２５に向けて、各軸保持板３の杭挿入円穴２５の周方向に並べて配置される。
各杭案内軸１の間の２枚の杭案内板４は、図１乃至図６、図１３及び図１４に示すように、一方の案内板裏平面４Ｂ（案内板裏平面４Ｂの一部）を、各軸保持板３の杭挿入円穴２５の内側に突出して、各軸保持板３の間に延在される。
各杭案内軸１の間の２枚の杭案内板４は、図１３及び図１４に示すように、各軸保持板３の杭挿入円穴２５の内側に突出した一方の案内板裏平面４Ｂを摺接円ＣＳに接して配置されて、隣接する各杭案内軸１に固定される。
各杭案内軸１の間の２枚の杭案内板４は、図１３に示すように、一方の案内板裏平面４Ｂを摺接円ＣＰに接した状態において、各軸保持板３の杭挿入円穴２５の周方向にて相互に連結される。
各杭案内板４は、各杭案内軸１の軸中心線Ｌ１（杭挿入円穴２５の穴中心線Ｌ３）の方向において、各軸保持板３に固定される。
これにより、各杭案内板４は、一方の案内板裏平面４Ｂ（案内板裏平面４Ｂの一部）を杭挿入円穴２５に挿入された杭ＫＭの杭外周面に摺接自在（当接自在）として、各軸保持板３の杭挿入円穴２５の内側に突出して配置される（図１７参照）。
また、各杭案内板４は、図１乃至図６に示すように、各杭案内軸１の間（各軸保持板３の間）を閉塞して、杭案内軸１及び軸保持板３に固定される。
【００５７】
２本のハンドル軸５は、金属棒、又は金属管で形成され、例えば、鉄丸棒、鋼丸棒、鉄円管（鉄管）、鋼円管（鋼管）で形成される。
各ハンドル軸５は、ウエイト部１２（杭打撃ハンマー２）の周方向に等間隔（角度：１８０°）の間隔を隔てて配置される。
各ハンドル軸５は、図１乃至図９、及び図１５に示すように、杭打撃ハンマー２のハンマー外周面であって、ウエイト部１２のウエイト外周面１２Ｃからウエイト柱中心線ＬＷ（杭打撃ハンマー２のハンマー柱中心線Ｌ２）と直交する方向に延在されて、ウエイト部１２（杭打撃ハンマー２）に固定される。
【００５８】
図１６乃至図２１において、杭打込みハンマーＸは、杭ＫＭの他方の杭端Ｋｂを打撃して、杭ＫＭを地中ＥＳに打込む。
【００５９】
杭ＫＭは、金属（鉄、鋼等）又は樹脂で円筒状又は円柱状に形成された杭、木製の丸材の杭を使用できる。
杭ＫＭは、図２１に示すように、例えば、鉄、鋼にて円筒状（円管状）に形成され、円筒杭部３１、円錐筒状の尖端部３２、円錐筒杭部３３、杭頭部３４及びアース用ネジ３５（ネジ）を有する。
杭ＫＭは、図２１に示すように、杭中心線ＬＫの方向において、各杭端Ｋａ，Ｋｂの間に杭全長：ＬＸを有する。杭ＫＭの杭全長：ＬＸは、杭打込みハンマーＸの各杭案内軸１の案内軸長：ＬＹ（図４参照）より長い杭長（杭全長：ＬＸ＞案内軸長：ＬＹ）を有する。
【００６０】
円筒杭部３１は、鉄、鋼にて円筒状に形成される。円筒杭部３１は、図２１に示すように、杭外周直径：ＤＭ（杭外周半径：ＲＭ）を有する。
【００６１】
尖端部３２は、鉄、鋼にて円錐筒状に形成される。尖端部３２は、図２１に示すように、杭ＫＭ（円筒杭部３１）の杭中心線ＬＫの方向において、円筒杭部３１の一方の杭筒端３１Ａに連続して形成される。尖端部３２は、杭中心線ＬＫの方向において、円筒杭部３１の一方の杭筒端３１Ａから杭ＫＭの一方の杭端Ｋａに向けて縮径しつつ延在される。
【００６２】
円錐筒杭部３３は、鉄、鋼にて円錐筒状に形成される。円錐筒杭部３３は、図２１に示すように、杭中心線ＬＫの方向において、円筒杭部３１の他方の杭筒端３１Ｂに連続して形成される。円錐筒杭部３３は、杭中心線ＬＫの方向において、円筒杭部３１の他方の杭筒端３１Ｂから杭ＫＭの他方の杭端Ｋｂ（杭頭部３４）に向けて縮径しつつ延在される。
【００６３】
杭頭部３４は、例えば、絶縁性を有する硬質樹脂にて円板状に形成される。杭頭部３４は、図２１に示すように、杭中心線ＬＫを中心として、円錐筒杭部３３（円筒杭部３１）と同心に配置される。杭頭部３４は、板外周直径：ＤＴを有する。杭頭部３４の板外周直径：ＤＴは、円筒杭部３１の杭外周直径：ＤＭより小径である（板外周直径：ＤＴ＜杭外周直径：ＤＭ）。
杭頭部３４の板外周直径：ＤＴは、杭打撃ハンマー２（打撃部１１）の杭端円穴１７の穴直径：ＤＦ（図１２参照）より小径である。
杭頭部３４は、図２１に示すように、頭板表平面３４Ａ及び頭板裏平面３４Ｂを杭中心線ＬＫと直交して、円錐筒杭部３３の杭円錐端３３Ａに配置される。杭頭部３４は、一方の頭板裏平面３４Ｂから円錐筒杭部３３の杭円錐端３３Ａ（杭ＫＭ）に固定される。
これより、杭頭部３４において、他方の頭板表平面３４Ａは、杭ＫＭの他方の杭端Ｋｂ（他方の杭端面）を構成する。
【００６４】
アース用ネジ３５は、図２１に示すように、杭中心線ＬＫを中心として、杭頭部３４と同心に配置される。アース用ネジ３５は、杭中心線ＬＫと直交する方向において、杭頭部３４の板外周面３４Ｃ（杭ＫＭの杭外周面）の間に杭打撃平面ＫＤを隔てて杭頭部３４に螺着される。アース用ネジ３５は、杭ＫＭの杭中心線ＬＭにおいて、頭板表平面３４Ａから杭頭部３４に螺着される。アース用ネジ３５は、杭頭部３４の頭板表平面３４Ａ（杭ＫＭの他方の杭端Ｋｂ）に当接して配置される。杭打撃平面ＫＤは、杭頭部３４の頭板表平面３４Ａであって、杭ＫＭの他方の杭端Ｋｂ（他方の杭端面）である。アース用ネジ３５は、円錐筒杭部３３又は円筒杭部３１に電気的に接続される。
アース用ネジ３５は、図２１に示すように、ネジ外周直径：ＤＮを有する。アース用ネジ３５のネジ外周直径：ＤＮは、杭打撃ハンマー２（打撃部１１）のネジ挿入円穴１８（第１ネジ挿入円穴）の穴直径：ＤＧより小径である。
【００６５】
図１６乃至図１８において、杭打込みハンマーＸは、各杭案内軸１の他方の軸端１Ｂから杭ＫＭを各軸保持板３の杭挿入円穴２５に挿入して、杭ＫＭに外嵌される。
杭ＫＭは、他方の杭端Ｋｂ（杭打撃平面ＫＤ／アース用ネジ３５）から杭打込みハンマーＸの各杭案内軸１の間（摺接円ＣＳ）及び各杭案内板４の間に挿入され、円筒杭部３１の杭外周面３１Ｃ（杭ＫＭの杭外周面）を各杭案内軸１の軸外周面１Ｃ及び各杭案内板４の案内板裏平面４Ｂに当接（摺接）して配置される。
【００６６】
杭打込みハンマーＸは、図１６乃至図１８に示すように、各杭案内軸１の間に杭ＫＭを挿入すると、杭ＫＭの尖端部３２（杭ＫＭの一方の杭端Ｋａ）を地面ＥＰに接地して、杭ＫＭと共に立上げられる。
これにより、杭ＫＭは、尖端部３２（一方の杭端Ｋａ）を地面ＥＳに接地して、地面ＥＳに立上げて配置される。
杭ＫＭを打込む作業者（以下、「作業者」という）は、各ハンドル軸５を把持して、杭打込みハンマーＸ及び杭ＫＭを立上げて、杭ＫＭの杭中心線ＬＫを地面ＥＰと直交するように、杭ＫＭを地面ＥＰに立設する。
杭ＫＭは、図１７及び図１８に示すように、各杭案内軸１及び各杭案内板４にて案内（ガイド）されて、杭中心線ＬＫを杭打撃ハンマー２のハンマー柱中心線Ｌ２に一致して、各杭案内軸１の間及び各杭案内板４の間に挿入される。杭ＬＫは、図１６に示すように、杭打撃平面ＫＤ（他方の杭端Ｋｂ）を打撃平面１０に対峙（対向）し、杭頭部３４を杭端円穴１７に対峙（対向）し、及びアース用ネジ３５をネジ挿入円穴１８に対峙（対向）して、各杭案内軸１の間及び各杭案内板４の間に配置（挿入）される。
【００６７】
杭打込みハンマーＸは、図１６乃至図１８に示すように、地面ＥＰに立上げた状態において、杭ＫＭに対して引上げて、杭打撃ハンマー２（打撃部１１）の打撃平面１０及び杭ＫＭの他方の杭端Ｋｂ（杭打撃平面ＫＤ）の間に打撃間隔ＧＸを隔てて配置される。
杭打込みハンマーＸは、図１８に示すように、各杭案内軸１の軸外周面１Ｃ、及び各杭案内板４の案内板裏平面４Ｂを、円筒杭部３１の杭外周面３１Ｃ（杭ＫＭの杭外周面）に摺接して引上げられる。
作業者は、各ハンドル軸５を把持して、杭ＫＭを各杭案内軸１の間及び各杭案内板４の間に挿入した状態において、杭打込みハンマーＸを杭ＫＭに対して引上げる。
【００６８】
続いて、作業者は、各ハンドル軸５を離して、杭打込みハンマーＸを杭ＫＭに向けて落下する。
杭打込みハンマーＸは、図１６乃至図２０に示すように、落下によって、アース用ネジ３５をネジ挿入円穴１８内に挿入し、杭頭部３４を杭端円穴１７内に挿入して、打撃平面１０を杭打撃平面ＫＤ（杭ＫＭの他方の杭端Ｋｂ）に当接する。
これにより、杭打込みハンマーＸは、図２０に示すように、杭打撃ハンマー２（打撃部１１及びウエイト部１２）を含む杭打込みハンマーＸの重量によって、杭ＫＭの杭打撃平面ＫＤ（杭ＫＭの他方の杭端Ｋｂ）を打撃して、杭ＫＭ（尖端部３２）を地中ＥＳに打込む。
杭打込みハンマーＸは、図１８及び図２０に示すように、各杭案内軸１の軸外周面１Ｃ、及び各杭案内板４の案内板裏平面４Ｂを、円筒杭部３１の杭外周面３１Ｃ（杭ＫＭの杭外周面）に摺接しつつ落下される。
【００６９】
杭ＫＭは、図２０に示すように、杭打込みハンマーＸから打撃を受けると、杭打込みハンマーＸと共に地面ＥＰに向けて移動され、尖端部３２（杭ＫＭの一方の杭端Ｋａ）から地中ＥＳに打込まれる。
このとき、杭ＫＭは、図１８及び図２０に示すように、各杭案内軸１及び各杭案内板４にて案内（ガイド）されて、杭中心線ＬＫを杭打撃ハンマー２のハンマー柱中心線Ｌ２に一致して、地中ＥＳに打込まれる。
【００７０】
作業者は、図１９に示すように、例えば、各杭案内軸１の他方の軸端１Ｂが地面ＥＰに接地（接触）するまで、杭打込みハンマーＸによる杭ＫＭの打撃を実行する。
杭ＫＭは、図１９に示すように、杭ＫＭの杭全長：ＬＸから杭打込みハンマーＸの各杭案内軸１の案内軸長：ＬＹを減算した打込み量：ＬＺ（打込み長さ）を最大として、任意の打込み量にて地中ＥＳに打込まれる。
【００７１】
杭打込みハンマーＸは、図２２乃至図２４に示す構成も採用できる。
なお、図２２乃至図２４において、図１乃至図１５と同一符号は、同一部材、同一構成であるので、その詳細な説明は省略する。
【００７２】
図２２乃至図２４において、杭打撃ハンマー２は、打撃部１１と、複数種のウエイト部１２Ｘ，１２Ｙ，…、複数本（４本以上）のハンドル軸５及び取付ボルトネジ２２を備える。
【００７３】
複数種のウエイト部１２Ｘ，１２Ｙ，…は、図２２に示すように、円柱直径（柱外周直径）の相異する同一金属で形成され、例えば、鉄円柱、鋼円柱（金属円柱）で形成される。
複数種のウエイト部において、ウエイト部１２Ｘは、円柱直径：ＤＵを有する。ウエイト部１２Ｙは、ウエイト部１２Ｘより大径の円柱直径：ＤＷを有する。
各ウエイト部１２Ｘ，１２Ｙは、図１乃至図１５で説明したと同様に、円錐台形穴２０及びボルト円穴２１を有する。各ウエイト部１２Ｘ，１２Ｙにおいて、円錐台形穴２０及びボルト円穴２１は、各ウエイト部１２Ｘ，１２Ｙのウエイト柱中心線ＬＷ（ハンマー柱中心線Ｌ２）を中心として同心に配置される。
これにより、各ウエイト部１２Ｘ，１２Ｙは、円柱直径：ＤＵ，ＤＷを相異することで、重量の相異するウエイト部となる。
【００７４】
複数本のハンドル軸５は、図２２に示すように、各ウエイト部１２Ｘ，１２Ｙ，…に２本配置される。
各ウエイト部１２Ｘ，１２Ｙ，…の２本のハンドル軸５は、ウエイト部１２Ｘ，１２Ｙの周方向に等間隔（角度：１８０°）の間隔を隔てて配置される。各ウエイト部１２Ｘ，１２Ｙ，…の２本のハンドル軸５は、各ウエイト部１２Ｘ，１２Ｙ，…のウエイト外周面１２Ｃからウエイト部１２Ｘ，１２Ｙ，…のウエイト柱中心線ＬＷ（杭打撃ハンマー２のハンマー柱中心線Ｌ２）と直交する方向に延在され、各ウエイト部１２Ｘ，１２Ｙ，…に固定される。
【００７５】
複数種から１のウエイト部、例えば、ウエイト部１２Ｙを選択し、選択したウエイト部１２Ｙは、打撃部１１に取外自在として固定される。
選択したウエイト部１２Ｙは、図１乃至図１５で説明したと同様に、打撃部１１（打撃円錐台形部材１５）に取付けられる。ウエイト部１２Ｙは、図２２及び図２３に示すように、一方のウエイト柱端面１２Ａ（円錐台形穴２０）から打撃部１１の他方の打撃柱端面１１Ｂ側（打撃円錐台形部材１５）に配置される。
ウエイト部１２Ｙは、円錐台形穴２０内に打撃円錐台形部材１５を挿入して、打撃部１１に取付けられる。
ウエイト部１２Ｙ及び打撃部１１は、打撃円錐台形部材１５の円錐外周面１５Ｃ、及び円錐台形穴２０の円錐内周面２０Ｃを当接し、他方の打撃柱端面１１Ｂ（他方の円錐材端面１５Ｂ）及び円錐台形穴２０の穴底平面を当接して配置される。
これにより、ウエイト部１２Ｙは、杭打撃ハンマー２のハンマー柱中心線Ｌ２を中心として、打撃部１１と同心に配置される。
【００７６】
ウエイト部１２Ｙは、図２３に示すように、取付ボルトネジ２２にて打撃部１１に取外自在として固定される。
取付ボルトネジ２２は、ウエイト部１２Ｙの他方のウエイト柱端面１２Ｂからボルトネジ軸２２Ａをウエイト部１２Ｙのボルト円穴２１に挿入して、打撃部１１のネジ円穴１９に螺着して配置される。
これにより、ウエイト部１２Ｙは、取付ボルトネジ２２、及びネジ円穴１９によって、打撃部１１（打撃円錐台形部材１５）に取外自在として固定される。
また、ウエイト部１２Ｙを打撃部１１から取外して、複数種から他の１のウエイト部１２Ｘを選択し、選択したウエイト部１２Ｘを、図１乃至図１５で説明したと同様に、打撃部１１（打撃円錐台形部材１５）に取外自在として固定する（図２４参照）。
ウエイト部１２Ｙは、取付ボルトネジ２２を回転して、ウエイト部１２Ｙのボルト円穴２１から抜取ることで、打撃部１１から取外す。
【００７７】
このように、重量の相異（円柱直径：ＤＵ，ＤＷの相異）する複数種のウエイト部１２Ｘ，１２Ｙ，…から、１のウエイト部１２Ｙ（又はウエイト部１２Ｘ等）を選択して、打撃部１１（打撃円錐台形部材１５）に取付けて固定することで、杭打込みハンマーＸによって杭ＫＭの他方の杭端Ｋｂ（杭打撃平面ＫＤ）を打撃する打撃力を調整できる。
【００７８】
杭打込みハンマーＸは、図２５に示す構成も採用できる。
なお、図２５において、図１乃至図１５と同一符号は、同一部材、同一構成であるので、その詳細な説明は省略する。
【００７９】
図２５において、複数枚の杭案内板４は、各杭案内軸１の間に１枚配置される。各杭案内軸１の間の１枚の杭案内板４（各杭案内軸１の間に配置した１枚の杭案内板４）は、図２５示すように、一方の案内板裏平面４Ｂ（一方の案内板平面）を各軸保持板３の杭挿入円穴２５に向けて配置される。
各杭案内軸１の間の１枚の杭案内板４は、一方の案内板裏平面４Ｂ（案内板裏平面４Ｂの一部）を、各軸保持板３の杭挿入円穴２５の内側に突出して、各軸保持板３の間に延在される。
各杭案内軸１の間の１枚の杭案内板４は、各軸保持板３の杭挿入円穴２５の内側に突出した一方の案内板裏平面４Ｂを摺接円ＣＳに接して配置されて、隣接する各杭案内軸１に固定される。
各杭案内軸１の間の１枚の杭案内板４は、図１乃至図１９で説明したと同様に、円筒杭部３１の杭外周面３１Ｃ（杭ＫＭの杭外周面）に摺接される。
このように、各杭案内軸１の間に配置する杭案内板４の枚数は、杭ＫＭの杭外周直径（円筒杭部３１の杭外周直径ＤＭ）に応じて、１枚又は２枚を選択する。
【００８０】
杭打込みハンマーＸでは、各杭案内軸１の間に杭案内板４を配置しない構成も採用できる。
杭打込みハンマーＸでは、図４に示すように、各杭案内軸１の案内軸長：ＬＹを短く、又は長くすることで、図１８に示すように、最大となる打込み量ＬＺ（打込み長さ）を調整できる。
杭打込みハンマーＸでは、杭打撃ハンマー２を打撃部１１及びウエイト部１２で構成することに限定されず、１の金属円柱で形成しても良い。
【００８１】
＜杭打込みハンマー装置（杭打込みハンマーユニット）＞
次に、本考案に係る杭打込みハンマー装置（杭打込みハンマーユニット）について、図２６乃至図６６を参照して説明する。
なお、図２６乃至図６６において、図１乃至図２５と同一符号は、同一部材、同一構成であるので、その詳細な説明は省略する。
【００８２】
杭打込みハンマー装置Ｂ（杭打込みハンマーユニット）は、図４７乃至図６１に示すように、杭ＫＮの他方の杭端Ｋｂを打撃して、杭ＫＮを地中ＥＳに打込む。
【００８３】
杭打込みハンマー装置Ｂは、図２５乃至図４６に示すように、杭打込みハンマーＹと、補助ハンマーＺを備えて構成される。
【００８４】
杭打込みハンマーＹは、杭ＫＮを打撃する。
杭打込みハンマーＹは、図２６乃至図４０に示すように、３本の杭案内軸１と、杭打撃ハンマー５２と、複数枚（例えば、３枚）の軸保持板３と、複数枚（例えば、６枚）の杭案内板４と、２本のハンドル軸５を備える。
【００８５】
３本の杭案内軸１は、図２６乃至図３１、及び図３３乃至図４０に示すように、軸中心線Ｌ１を相互に平行して配置される。
【００８６】
杭打撃ハンマー５２は、金属円柱で形成され、例えば、鉄円柱、鋼円柱で形成される。
杭打撃ハンマー５２は、図３３、図３７、図３８及び図４０に示すように、ハンマー柱中心線Ｌ５を各杭案内軸１の軸中心線Ｌ１に平行して配置される。杭打撃ハンマー５２は、ハンマー柱中心線Ｌ５の方向の一方のハンマー柱端面５２Ａに、ハンマー柱中心線Ｌ５を中心として配置され、杭ＫＭの他方の杭端Ｋｂに当接可能な円形の打撃平面４０を有する、杭打撃ハンマー５２は、図３３、図３６及び図４０に示すように、打撃平面４０を各杭案内軸１の軸中心線Ｌ１と直交して、一方のハンマー柱端面５２Ａから各杭案内軸１の一方の軸端１Ａ側に固定される。
これにより、打撃平面４０は、各杭案内軸１の軸中心線Ｌ１と直交して、杭打撃ハンマー５２の一方のハンマー柱端面５２Ａに形成される。
【００８７】
杭打撃ハンマー５２は、図２６乃至図３２、図３４、図３５乃至図３７及び図４０に示すように、例えば、一方のハンマー柱端面５２Ａ側の円柱ハンマー部５３と、他方のハンマー柱端面５２Ｂ側の円錐台形ハンマー部５４を有して構成される。
杭打撃ハンマー５２は、図２６、図３３及び図４０に示すように、複数（３つ）の軸円穴５９、杭端円穴６０、第１ネジ挿入円穴６１、杭案内円穴６２、第２ネジ挿入円穴６３を有する。
【００８８】
円柱ハンマー部５３は、金属円柱で形成され、例えば、鉄円柱、鋼円柱で形成される。
円柱ハンマー部５３は、図３３、図３６及び図４０に示すように、一方のハンマー柱部端面５３Ａに打撃平面４０を有する。
円柱ハンマー部５３は、図３３、図３４、図３６乃至図３８及び図４０に示すように、各軸円穴５９、杭端円穴６０、第１ネジ挿入円穴６１を有する。
【００８９】
３つの軸円穴５９は、図３４乃至図３７、及び図４０に示すように、円柱ハンマー部５３に形成される。各軸円穴５９は、図３６及び図３７に示すように、ハンマー柱中心線Ｌ５を中心とする半径Ｒ５の穴配置円Ｃ２に、穴中心を位置（一致）して配置される。
各軸円穴５９は、ハンマー柱中心線Ｌ５の方向において、円柱ハンマー部５３内を延在して形成される。各軸円穴５９は、ハンマー柱中心線Ｌ５の方向において、円柱ハンマー部５３の一方のハンマー柱部端面５３Ａに開口される。なお、円柱ハンマー部５３の一方のハンマー柱部端面５３Ａは、杭打撃ハンマー５２の一方のハンマー柱端面５２Ａとなる。
【００９０】
円柱ハンマー部５３は、図３４乃至図３８、及び図４０に示すように、ハンマー柱中止線Ｌ５を各杭案内軸１の軸中心線Ｌ１に平行して配置される。円柱ハンマー部５３は、一方のハンマー柱部端面５３Ａから各杭案内軸１の一方の軸端１Ａ側を各軸円穴５９に挿入して、各杭案内軸１の一方の軸端１Ａ側に固定される。
各杭案内軸１は、一方の軸端１Ａ側を円柱ハンマー部５３の各軸円穴５９内に挿入して、円柱ハンマー部５３に固定される。
【００９１】
杭端円穴６０は、図３３、図３４、図３７、図３８及び図４０に示すように、円柱ハンマー部５３に形成される。
杭端円穴６０は、ハンマー柱中心線Ｌ５を中心として、穴配置円Ｃ２と同心に配置される。杭端円穴６０は、各杭案内軸１の内側に配置されて、円柱ハンマー部５３に形成される。杭端円穴６０は、ハンマー柱中心線Ｌ５の方向において、円柱ハンマー部５３内を延在して形成される。杭端円穴６０は、ハンマー柱中心線ｌ５の方向に穴深さを有して、円柱ハンマー部５３の一方のハンマー柱部端面５３Ａ（杭打撃ハンマー５２の一方のハンマー柱端面５２Ａ）に開口される。
杭端円穴６０は、図３７、図３８及び図４０に示すように、ハンマー柱中心線Ｌ５の方向において、穴底平面であって、各杭案内軸１と直交する円形の打撃平面４０を形成する。
これにより、杭端円穴６０は、円内周面、及び打撃平面４０にて円柱ハンマー部５３の一方のハンマー柱部端面５３Ａの一部（杭打撃ハンマー５２の一方のハンマー柱端面５２Ａの一部）を形成し、円柱ハンマー部５３（杭打撃ハンマー５２）は、一方のハンマー柱部端面５３Ａ（一方のハンマー柱端面５２Ａ）に打撃平面４０（円形の打撃平面）を有する。
杭端円穴６０は、図３７に示すように、穴直径：ＤＪを有する。
【００９２】
第１ネジ挿入円穴６１は、図３３、図３４、図３７、図３８及び図４０に示すように、杭打撃ハンマー５２の一方のハンマー柱端面５２Ａ側であって、円柱ハンマー部５３に形成される。第１ネジ挿入円穴６１は、ハンマー柱中心線Ｌ５を中心として、杭端円穴６０と同心に配置される。第１ネジ挿入円穴６１は、ハンマー柱中心線Ｌ５の方向において、杭端円穴６０に連続して形成される。
第１ネジ挿入円穴６１は、ハンマー柱中心線Ｌ５の方向において、杭端円穴６０の打撃平面４０（穴底平面）から縮径して形成され、円柱ハンマー部５３の他方のハンマー柱部端面５３Ｂに向けて、円柱ハンマー部５３内に延在して形成される。
第１ネジ挿入円穴６１は、ハンマー柱中心線Ｌ５の方向において、打撃平面４０（杭端円穴６０の穴底平面）に開口されて、杭端円穴６０内に連通される。
第１ネジ挿入円穴６１は、図３７に示すように、穴直径：ＤＩを有する。
第１ネジ挿入円穴６１は、杭打撃ハンマー５２の打撃平面４０を杭ＫＮの杭打撃平面ＫＤに打撃して、杭ＫＮアース用ネジ３５を挿入する（図５０及び図５１参照）。
【００９３】
円錐台形ハンマー部５４は、図２６乃至図３２、図３４乃至図４０に示すように、杭打撃ハンマー２のハンマー柱中心線Ｌ５を中心として、円柱ハンマー部５３と同心に配置される。円錐台形ハンマー部５４は、ハンマー柱中心線Ｌ５の方向において、一方の円錐部端面５４Ａ（円錐底面）を円柱ハンマー部５３の他方のハンマー柱部端面５３Ｂに当接して、円柱ハンマー部５３に固定される。円錐台形ハンマー部５４は、円柱ハンマー部５３の他方のハンマー柱部端面５３Ｂに一体に形成される。
円錐台形ハンマー部５４は、杭打撃ハンマー５２のハンマー柱中心線Ｌ５の方向において、円柱ハンマー部５３の他方のハンマー柱部端面５３Ｂから縮径しつつ杭打撃ハンマー５２の他方のハンマー柱端面５２Ｂに延在される。
円錐台形ハンマー部５４は、図４０に示すように、ハンマー柱中心線Ｌ５の方向において、円柱ハンマー部５３の他方のハンマー柱部端面５３Ｂ及び杭打撃ハンマー５２の他方のハンマー柱部端面５３Ｂの間に円錐高：ＬＰ（円錐長さ）を有する。円錐高：ＬＰは、ハンマー柱中心線Ｌ５の方向において、円錐台形ハンマー部５４の各円錐部端面５４Ａ，５４Ｂの間の高さ間隔（長さ間隔）である。
【００９４】
円錐台形ハンマー部５４は、図２６、図３２、図３４及び図４０に示すように、杭案内円穴６２、及び第２ネジ挿入円穴６３を有する。
【００９５】
杭案内円穴６２は、図２６、図３２、図３４及び図４０に示すように、杭打撃ハンマー５２の他方のハンマー柱端面５２Ｂ側であって、円錐台形ハンマー部５４に形成される。
杭案内円穴６２は、ハンマー柱中心線Ｌ５を中心として、杭端円穴６０及び第１ネジ挿入円穴６１と同心に配置される。
杭案内円穴６２は、図３２及び図４０に示すように、各杭案内軸１の軸中心線Ｌ１（ハンマー柱中心線Ｌ５）と直交する穴底平面６４を有する。穴底平面６４は、ハンマー柱中心線Ｌ５を中心として、打撃平面４０と同心に配置される。杭案内円穴６２は、ハンマー柱中心線Ｌ５の方向において、円錐台形ハンマー部５４内を延在して形成される
杭案内円穴６２は、穴底平面６４からハンマー柱中心線Ｌ５の方向に延在して、円錐台形ハンマー部５４の他方の円錐部端面５４Ｂに開口される。なお、円錐台形ハンマー部５４の他方の円錐部端面５４Ｂは、杭打撃ハンマー５２の他方のハンマー柱端面５２Ｂとなる。
【００９６】
杭案内円穴６２は、図４０に示すように、穴直径：ＤＨを有する。杭案内円穴６２は、ハンマー柱中心線Ｌ５の方向において、穴底平面６４及び他方のハンマー柱端面５２Ｂの間に穴長：ＬＱ（穴長さ／穴深さ）を有する。
杭案内円穴６２の穴直径：ＤＨは、穴内周面６２Ｃを杭ＫＮの杭外周面に摺接して杭ＫＮを挿入する直径であって、杭ＫＮの杭外周直径：ＤＡより僅かに大径である。
杭案内円穴６２の穴長：ＬＱは、円錐台形ハンマー部５４の円錐高：ＬＰ及び各杭案内軸１の案内軸長：ＬＡより短くして、円錐台形ハンマー部５４に形成される。
これにより、円錐台形ハンマー部５４は、図４０に示すように、杭案内円穴６２の穴長：ＬＱ（穴深さ）より長い円錐高：ＬＰ（円錐高：ＬＰ＞穴長：ＬＱ）を有して、円柱ハンマー部５３に一体に形成される。
【００９７】
第２ネジ挿入円穴６３は、図３２、図３４及び図４０に示すように、杭打撃ハンマー５２の他方のハンマー柱端面５２Ｂ側であって、円錐台形ハンマー部５４に形成される。第２ネジ挿入円穴６３は、ハンマー柱中心線Ｌ５を中心として、杭端円穴６０、第１ネジ挿入円穴６１及び杭案内円穴６２と同心に配置される。
第２ネジ挿入円穴６３は、ハンマー柱中心線Ｌ５の方向において、杭案内円穴６２に連続して形成される。
第２ネジ挿入円穴６３は、杭案内円穴６２の穴底平面６４から縮径して形成され、ハンマー柱中心線Ｌ５の方向において、円柱ハンマー部５３（他方のハンマー柱部端面５３Ｂ）に向けて、円錐台形ハンマー部５４内を延在して形成される。
第２ネジ挿入円穴６３は、ハンマー柱中心線Ｌ５の方向において、穴底平面６４に開口されて、杭案内円穴６２内に連通される。
第２ネジ挿入円穴６３は、穴直径：ＤＩを有する。
第２ネジ挿入円穴６３は、杭案内円穴６２の穴底平面６４を杭ＫＮの打撃平面４０に当接して、杭ＫＮのアース用ネジ３５を挿入する（図５２及び図５３参照）。
【００９８】
複数枚（例えば、３枚）の軸保持板３は、図２６乃至図３１に示すように、各杭案内軸１の軸中心線Ｌ１の方向において、杭打撃ハンマー５２の一方のハンマー柱端面５２Ａ（打撃平面４０）、及び各杭案内軸１の他方の軸端１Ｂの間に板間隔Ｆ２を隔てて配置される。
２枚の各軸保持板３は、杭打撃ハンマー５２の一方のハンマー柱端面５２Ａ（打撃平面１０）に隣接して配置され、及び各杭案内軸１の他方の軸端１Ｂ側に配置される。
各軸保持板３は、保持板表平面３Ａ及び保持板裏平面３Ｂを各杭案内軸１の軸中心線Ｌ１と直交して、各杭案内軸１に固定される。
【００９９】
各軸保持板３の杭挿入円穴２５は、図３２、図３８及び図４０に示すように、杭打撃ハンマー５２のハンマー柱中心線Ｌ５を中心として、杭打撃ハンマー５２の打撃平面４０（穴配置円Ｃ２、杭端円穴６０）と同心に配置される。
杭挿入円穴２５は、ハンマー柱中心線Ｌ５の方向にて各軸保持板３を貫通して、保持板表平面３Ａ及び保持板裏平面３Ｂに開口される。
杭挿入円穴２５は、図３９に示すように、杭ＫＮの杭外周直径：ＤＡより大きい穴直径：ＤＥを有する。
【０１００】
各杭案内軸１は、図３２、図３８及び図３９に示すように、打撃平面４０（杭端円穴６０、第１ネジ挿入円穴６１）の外側に配置される。各杭案内軸１は、杭挿入円穴２５の穴中心線Ｌ３（杭打撃ハンマー５２のハンマー柱中心線Ｌ５）を中心とする半径：Ｒ６の軸配置円ＣＱに、軸中心線Ｌ１を位置（一致）して配置されて、各軸保持板３に固定される。軸配置穴ＣＱの半径：Ｒ６は、穴配置円Ｃ２の半径：Ｒ５と同一半径である（Ｒ６＝Ｒ５）。
各杭案内軸１は、杭挿入円穴２５の周方向（軸配置円ＣＧの周方向）に等間隔（角度：１２０°）を隔てて配置されて、各軸保持板３に固定される。
各杭案内軸１は、図３２、図３８及び図３９に示すように、各軸保持板３の杭挿入円穴２５の内側に突出され、杭挿入円穴２５の内側に突出した軸外周面１Ｃを摺接円ＣＴに接して配置される。
摺動円ＣＱは、各軸保持板３の杭挿入円穴２５の穴中心線Ｌ３を中心とし、各軸保持板３の杭挿入円穴２５に挿入された杭ＫＮの杭外周面に各杭案内軸１の軸外周面１Ｃを摺接自在（摺接可能）とする円である（図４９参照）。摺接円ＣＱは、各軸保持板３の杭挿入円穴２５の内側に位置して、杭ＫＮの杭外周半径：ＲＡ（杭外周直径ＤＡ＝２×ＲＡ）より僅かに大きい半径：ＲＮを有する。
これにより、各杭案内軸１は、軸外周面１Ｃを杭挿入円穴２５に挿入された杭ＫＮの杭外周面に摺接自在（当接自在）として各軸保持板３の杭挿入円穴２５の内側に突出して配置される。
各杭案内軸１は、図２９に示すよう、軸中心線Ｌ１の方向において、打撃平面４０（杭打撃ハンマー５２の一方のハンマー柱端面５２Ａ）、及び他方の軸端１Ｂの間に案内軸長：ＬＡ（案内軸長さ）を有する。
各杭案内軸１の案内軸長：ＬＡは、図２９及び図４０に示すように、杭案内円穴６２の穴長：ＬＱより長い軸長である（案内軸長：ＬＡ＞穴長：ＬＱ）。
【０１０１】
複数枚（例えば、６枚）の杭案内板４は、各杭案内軸１の間に配置される。
複数枚の杭案内板４は、図２６乃至図３１、図３４、図３５、図３８及び図３９に示すように、各軸保持板３の杭挿入円穴２５の周方向において、各杭案内軸１の間に１枚配置される。
各杭案内軸１の間の１枚の杭案内板４（各杭案内軸１の間に配置した１枚の杭案内板４）は、図３８及び図３９に示すように、一方の案内板裏平面４Ｂ（一方の案内板平面）を各軸保持板３の杭挿入円穴２５に向けて配置される。
各杭案内軸１の間の１枚の杭案内板４は、図３８及び図３９に示すように、一方の案内板裏平面４Ｂ（案内板裏平面４Ｂの一部）を、各軸保持板３の杭挿入円穴２５の内側に突出して、各軸保持板３の間に延在される。
各杭案内軸１の間の１枚の杭案内板４は、図３８及び図３９に示すように、各軸保持板３の杭挿入円穴２５の内側に突出した一方の案内板裏平面４Ｂ（案内板裏平面４Ｂの一部）を摺接円ＣＴに接して配置されて、隣接する各杭案内軸１に固定される。
各杭案内板４は、各杭案内軸１の軸中心線Ｌ１（杭挿入円穴２５の穴中心線Ｌ３）の方向において、各軸保持板３に固定される。
これにより、各杭案内板４は、一方の案内板裏平面４Ｂ（案内板裏平面４Ｂの一部）を杭挿入円穴２５に挿入された杭ＫＮの杭外周面に摺接自在（当接自在）として、各軸保持板３の杭挿入円穴２５の内側に突出して配置される（図４９参照）。
また、各杭案内板４は、図２６乃至図３１、図３３及び図３４に示すように、各杭案内軸１の間（各軸保持板３の間）を閉塞して、杭案内軸１及び軸保持板３に固定される。
【０１０２】
２本のハンドル軸５は、図２６乃至図４３、及び図４０に示すように、円柱ハンマー部５３（杭打撃ハンマー５２）の周方向に等間隔（角度：１８０°）の間隔を隔てて配置される。
各ハンドル軸５は、杭打撃ハンマー５２のハンマー外周面であって、円柱ハンマー部５３のハンマー外周面５３Ｃからハンマー柱部中心線ＬＶ（杭打撃ハンマー５２のハンマー柱中心線Ｌ５）と直交する方向に延在されて、円柱ハンマー部５３（杭打撃ハンマー５２）に固定される。
【０１０３】
補助ハンマーＺは、杭打込みハンマーＹを打撃する。
補助ハンマーＺは、図４１乃至図４６に示すように、１本の打撃軸７１、補助ウエイト７２、及び２本の補助ハンドル軸７３を備える。
【０１０４】
打撃軸７１は、金属丸棒で形成され、例えば、鉄丸棒、鋼丸棒で形成される。打撃軸７１は、打撃軸直径：ＤＢを有する。
打撃軸７１の打撃軸直径：ＤＢは、杭打込みハンマーＹの摺接円ＣＴの円直径：ＤＮ（ＤＮ＝２×ＲＮ）より僅かに小さい直径である（図３９参照）。
これにより、打撃軸７１は、打撃軸外周面７１Ｃを各軸保持板３の杭挿入円穴２５の内側に突出した各杭案内軸１の軸外周面１Ｃ及び各杭案内板４の一方の案内板裏平面４Ｂに摺接（当接）して、各軸保持板３の各杭挿入円穴２５内（各杭案内軸１の間及び各杭案内板４の間）に挿入される。
【０１０５】
補助ウエイト７２は、金属円柱で形成され、例えば、鉄円柱、鋼円柱で形成される。
補助ウエイト７２は、図４１乃至図４３、及び図４６に示すように、ウエイト柱中心線ＬＥを各杭案内軸１の軸中心線Ｌ１に平行して配置される。補助ウエイト７２は、打撃軸７１の軸中線ＬＤを中心として、打撃軸７１と同心に配置される。補助ウエイト７２は、補助ウエイト柱中心線ＬＥの方向において、一方の補助ウエイト柱端面７２Ａから打撃軸７１の一方の打撃軸端７１Ａ側に固定される。
補助ウエイト７２は、打撃軸７１の打撃軸直径：ＤＢより大きい柱外周直径：ＤＱを有する。
【０１０６】
補助ウエイト７２は、図４１乃至図４６に示すように、例えば、第１補助ウエイト部７５、及び第２補助ウエイト部７６を有して構成される。
補助ウエイト７２は、図４１、図４５及び図４６に示すように、軸挿入円穴７７、補助ネジ円穴７８、補助円錐台形穴７９、補助ボルト円穴８０、及び補助取付ボルトネジ８１を有する。
【０１０７】
第１補助ウエイト部７５は、金属円柱で形成され、例えば、鉄円柱、鋼円柱で形成される。
第１補助ウエイト部７５は、図４１乃至図４６に示すように、例えば、ウエイト円柱部材８２と、ウエイト円錐台形部材８３を有して構成される。
【０１０８】
ウエイト円錐台形部材８３は、図４１乃至図４６に示すように、補助ウエイト７２のウエイト柱中心線ＬＥを中心として、ウエイト円柱部材８２と同心に配置される。ウエイト円錐台形部材８３は、ウエイト柱中心線ＬＥの方向において、一方のウエイト円錐部端面８３Ａ（円錐底面）をウエイト円柱部材８２の他方のウエイト柱部端面８２Ｂに当接して、ウエイト円柱部材８２に固定される。
ウエイト円錐台形部材８３は、ウエイト柱中心線ＬＥの方向において、ウエイト円柱部材８２の他方のウエイト柱部端面８２Ｂから縮径しつつ第１補助ウエイト部７５の他方の第１ウエイト柱端面７５Ｂに延在される。
【０１０９】
第１補助ウエイト部７５は、図４１、図４５及び図４６に示すように、軸挿入円穴７７、補助ネジ円穴７８を有する。
【０１１０】
軸挿入円穴７７は、図４１、図４５及び図４６に示すように、ウエイト円柱部材８２（第１補助ウエイト部７５）に形成される。軸挿入円穴７７は、図４６に示すように、穴中心線（穴中心）をウエイト柱中心線ＬＥに位置（一致）して配置される。軸挿入円穴７７は、ウエイト柱中心線ＬＥの方向において、ウエイト円柱部材８２内を延在して形成される。軸挿入円穴７７は、ウエイト柱中心線ＬＥの方向において、ウエイト円柱部材８２を貫通して、ウエイト円柱部材８２の各ウエイト柱部端面８２Ａ，８２Ｂに開口される。
なお、ウエイト円柱部材８２の一方のウエイト柱部端面８２Ａは、補助ウエイト７２の一方の補助ウエイト柱端面７２Ａ、第１補助ウエイト部７５の一方の第１ウエイト柱端面７５Ａとなる。
【０１１１】
補助ネジ円穴７８は、図４６に示すように、ウエイト円錐台形部材８３（第１補助ウエイト部７５）に形成される。補助ネジ円穴７８は、ウエイト柱中心線ＬＥを中心として、軸挿入円穴７７と同心に配置される。
補助ネジ円穴７８は、ウエイト柱中心線ＬＥの方向において、軸挿入円穴７７に連続して形成される。補助ネジ円穴７８は、ウエイト柱中心線ＬＥの方向において、ウエイト円錐台形部材８３内を延在して形成される。補助ネジ円穴７８は、ウエイト柱中心線ＬＥの方向において、ウエイト円錐台形部材８３を貫通して、ウエイト円錐台形部材８３の各ウエイト円錐部端面８３Ａ，８３Ｂに開口される。
なお、ウエイト円錐台形部材８３の他方のウエイト円錐部端面８３Ｂは、第１補助ウエイト部７５の他方の第１ウエイト柱端面７５Ｂとなる。
【０１１２】
第１補助ウエイト部７５は、図４１、図４５及び図４６に示すように、ウエイト柱中心線ＬＥを各杭案内軸１の軸中心線Ｌ１に平行して配置される。第１補助ウエイト部７５は、打撃軸７１の軸中心線ＬＤを中心として、打撃軸７１と同心に配置される。第１補助ウエイト部７５は、一方の第１ウエイト柱端面７５Ａ（一方のウエイト柱部端面８２Ａ）から打撃軸７１の一方の打撃軸端７１Ａ側を軸挿入円穴７７に挿入して、打撃軸７１に固定される。
打撃軸７１は、一方の打撃軸端７１Ａ側を第１補助ウエイト部７５（ウエイト円柱部材８２）の軸挿入円穴７７に挿入して、第１補助ウエイト部７５（ウエイト円柱部材８２）に固定される。
これにより、打撃軸７１は、軸中心線ＬＦを補助ウエイト７２のウエイト柱中心線ＬＥに一致して、補助ウエイト７２（第１補助ウエイト部７５）と同心に配置される。
【０１１３】
打撃軸７１は、軸中心線ＬＦの方向において、補助ウエイト７２の一方の補助ウエイト柱端面７２Ａ（第１補助ウエイト部７５の一方の第１ウエイト柱端面７５Ａ）、及び他方の打撃軸端７１Ｂに打撃軸長：ＬＺ（打撃軸長さ）を有する。打撃軸長：ＬＺは、杭打込みハンマーＹの各杭案内軸１の案内軸長：ＬＡ（軸長さ）より長い軸長である（打撃軸長：ＬＺ＞案内軸長：ＬＡ）。
【０１１４】
第２補助ウエイト部７６は、金属円柱で形成され、例えば、鉄円柱、鋼円柱で形成される。
第２補助ウエイト部７６は、図４１、図４５及び図４６に示すように、補助円錐台形穴７９、及び補助ボルト円穴８０を有する。
【０１１５】
補助円錐台形穴７９は、図４５及び図４６に示すように、第２補助ウエイト部７６に形成される。補助円錐台形穴７９は、ウエイト柱中心線ＬＥを中心として、ウエイト円錐台形部材８３（軸挿入円穴７７、補助ネジ円穴７８）と同心に配置される。補助円錐台形穴７９は、ウエイト柱中心線ＬＥの方向において、第２補助ウエイト部７６内を延在して形成される。
補助円錐台形穴７９は、第２補助ウエイト部７６の一方の第２ウエイト柱端面７６Ａに開口される。補助円錐台形穴７９は、ウエイト柱中心線ＬＥの方向において、第２補助ウエイト部７６の一方の第２ウエイト柱端面７６Ａから縮径しつつ第２補助ウエイト部７６の他方の第２ウエイト柱端面７６Ｂに向けて延在される。
【０１１６】
補助ボルト円穴８０は、図４６に示すように、第２補助ウエイト部７６に形成される。補助ボルト円穴８０は、図４６に示すように、ウエイト柱中心線ＬＥを中心として、補助円錐台形穴７９と同心に配置される。補助ボルト円穴８０は、ウエイト柱中心線ＬＥの方向において、第２補助ウエイト部７６内を延在して形成される。
補助ボルト円穴８０は、ウエイト柱中心線ＬＥの方向において、第２補助ウエイト部７６を貫通しいて、補助円錐台形穴７９、及び第２補助ウエイト部７６の他方の第２ウエイト柱端面７６Ｂに開口される。なお、第２補助ウエイト部７６の他方の第２ウエイト柱端面７６Ｂは、補助ウエイト７２の他方の補助ウエイト柱端面７２Ｂとなる。
【０１１７】
第２補助ウエイト部７６は、図４１乃至図４６に示すように、第１補助ウエイト部７５（ウエイト円錐台形部材８３）に取付けられる。第２補助ウエイト部７６は、一方の第２ウエイト柱端面７６Ａ（補助円錐台形穴７９）から第１補助ウエイト部７５の他方の第１ウエイト柱端面７５Ｂ側（ウエイト円錐台形部材８３）に配置される。
第２補助ウエイト部７６は、図４６に示すように、補助円錐台形穴７９内にウエイト円錐台形部材８３を挿入して、第１補助ウエイト部７５に連続して配置される。
第１及び第２補助ウエイト部７５，７６は、ウエイト円錐台形部材８３の円錐外周面８３Ｃ、及び補助円錐台形穴７９の円錐内周面７９Ｃを当接し、他方の第１ウエイト柱端面７５Ｂ（ウエイト円錐台形部材８３の他方のウエイト円錐部端面８３Ｂ）及び補助円錐台形穴７９の穴底平面を当接して配置される。
これにより、第２補助ウエイト部７６は、補助ウエイト７２のウエイト柱中心線ＬＥを中心として、第１補助ウエイト部７５と同心に配置される。
【０１１８】
補助取付ボルトネジ８１は、図４２乃至図４４、及び図４６に示すように、ボルトネジ軸８１Ａ、及びボルトネジ軸８１Ａの一方のネジ軸端に固定されるボルト頭部８１Ｂを有する。
補助取付ボルトネジ８１は、第２補助ウエイト部７６の他方の第２ウエイト柱端面７６Ｂ（補助ウエイト７２の他方の補助ウエイト柱端面７２Ｂ）からボルトネジ軸８１Ａを第２補助ウエイト部７６の補助ボルト円穴８０に挿入して、第１補助ウエイト部７５の補助ネジ円穴７８に螺着して配置される。
補助取付ボルトネジ８１は、第１補助ウエイト部７５に向けて回転して、ボルトネジ軸８１Ａを補助ネジ円穴７８に螺入し、及びボルト頭部８１Ｂを第２補助ウエイト部７６の他方の第２ウエイト柱端面７６Ｂに当接して配置される。
これにより、第２補助ウエイト部７６は、補助取付ボルトネジ８１、補助ネジ円穴７８によって、第１補助ウエイト部７５（ウエイト円錐台形部材８３）に取外自在として固定される。
【０１１９】
２本の補助ハンドル軸７３，７３は、金属棒、又は金属管で形成され、例えば、鉄丸棒、鋼丸棒、鉄円管（鉄管）、鋼円管（鋼管）で形成される。
各補助ハンドル軸７３，７３は、図４１乃至図４５に示すように、第２補助ウエイト部７６（補助ウエイト７２）の周方向に等間隔（角度：１８０°）の間隔を隔てて配置される。
各補助ハンドル軸７３，７３は、図４１乃至図４５に示すように、補助ウエイト７２のウエイト外周面であって、第２補助ウエイト部７６のウエイト外周面７６Ｃから第２ウエイト柱中心線ＬＲ（ウエイト柱中心線ＬＥ）と直交する方向に延在されて、第２補助ウエイト部７６（補助ウエイト７２）に固定される。
【０１２０】
図４７乃至図６１において、杭打込みハンマー装置Ｂは、杭ＫＮの他方の杭端Ｋｂを打撃して、杭ＫＮを地中ＥＳに打込む。
【０１２１】
杭ＫＮは、金属（鉄、鋼等）又は樹脂で円筒状又は円柱状に形成された杭、木製の丸材の杭を使用できる。
杭ＫＮは、図６２に示すように、例えば、鉄、鋼にて円筒状（円管状）に形成される。杭ＫＭは、図２１で説明した同様に、円筒杭部３１、円錐筒状の尖端部３２、杭頭部３４及びアース用ネジ３５（ネジ）を有する。
杭ＫＮは、図６２に示すように、杭中心線ＬＫの方向において、各杭端Ｋａ，ｋｂの間に杭全長：Ｌａを有する。杭ＫＮの杭全長：Ｌａは、杭打込ハンマーＹの各杭案内軸１の案内軸長：ＬＡより長い杭長（杭全長：Ｌａ＞案内軸長：ＬＡ）を有する。
【０１２２】
杭ＫＮにおいて、円筒杭部３１は、図６２に示すように、杭ＫＮの杭外周直径：ＤＡ（杭外周半径：ＲＡ）を有する。
【０１２３】
杭ＫＮにおいて、杭頭部３４は、図６２に示すように、板外外周直径：ＤＣを有する。杭頭部３４の板外周直径：ＤＣは、円筒杭部３１の杭外周直径：ＤＡより小径である（板外周直径：ＤＣ＜円筒杭部３１の杭外周直径：ＤＡ）。
杭ＫＮにおいて、杭頭部３４の板外周直径：ＤＣは、杭打撃ハンマー５２の杭端円穴６０の穴直径：ＤＪ、及び杭案内円穴６２の穴直径：ＤＨより小径である。
【０１２４】
アース用ネジ３５は、図２１で説明したと同様に、杭中心線ＬＫと直交する方向において、杭頭部３４の板外周面３４Ｃ（杭ＫＮの杭外周面）の間に杭打撃平面ＫＤを隔てて杭頭部３４に螺着される。
杭ＫＮにおいて、アース用ネジ３５のネジ外周直径：ＤＮは、図６２に示すように、杭打撃ハンマー５２の第１及び第２ネジ挿入円穴６１，６３の穴直径：ＤＩより小径である。
【０１２５】
図４７乃至図４９において、杭打込みハンマー装置Ｂの杭打込みハンマーＹは、各杭案内軸１の他方の軸端１Ｂから杭ＫＮを各軸保持板３の杭挿入円穴２５に挿入して、杭ＫＮに外嵌される。
杭ＫＮは、他方の杭端Ｋｂから（杭打撃平面ＫＤ／アース用ネジ３５）から杭打込みハンマーＹの各杭案内軸１の間（摺接円ＣＱ）及び各杭案内板４の間に挿入され、円筒杭部３１の杭外周面３１Ｃ（杭ＫＮの杭外周面）を各杭案内軸１の軸外周面１Ｃ及び各杭案内板４の案内板裏平面４Ｂに当接（摺接）して配置される。
【０１２６】
杭打込みハンマー装置Ｂにおいて、杭打込みハンマーＹは、図４７乃至図４９に示すように、各杭案内軸１の間に杭ＫＮを挿入すると、杭ＫＮの尖端部３２（杭ＫＮの一方の杭端Ｋａ）を地面ＥＰに接地して、杭ＫＮと共に立上げられる。
作業者は、各ハンドル軸５を把持して、杭打込みハンマーＹ及び杭ＫＮを立上げて、杭ＫＮの杭中心線ＬＫを地面ＥＰと直交するように、杭ＫＮを地面ＥＰに立設する。
これにより、杭ＫＮは、尖端部３２（杭ＫＮの一方の杭端Ｋａ）を地面ＥＰに接地して、地面ＥＰに立上げて配置される。
杭ＫＮは、図４８及び図４９に示すように、各杭案内軸１及び各杭案内板４にて案内（ガイド）されて、杭中心線ＬＫを杭打撃ハンマー５２のハンマー柱中心線Ｌ５に一致して、各杭案内軸１の間及び各杭案内板４の間に挿入される。杭ＫＮは、図４８に示すように、杭打撃平面ＫＤを打撃平面４０に対峙（対向）し、杭頭部３４を杭端円穴６０に対峙（対向）し、及びアース用ネジ３５を第１ネジ挿入円穴６１に対峙（対向）して、各杭案内軸１の間及び各杭案内板４の間に配置（挿入）される。
【０１２７】
杭打込みハンマー装置Ｂにおいて、杭打込みハンマーＹは、図４７乃至図４９に示すように、地面ＥＰに立上げた状態において、杭ＫＮに対して引上げて、杭打撃ハンマー５２（円柱ハンマー部５３）の打撃平面４０及び杭ＫＮの他方の杭端Ｋｂ（杭打撃平面ＫＤ）の間に打撃間隔：ＧＹを隔てて配置される。
杭打込みハンマーＹは、図４９に示すように、各杭案内軸１の軸外周面１Ｃ、及び各杭案内板４の案内板裏平面４Ｂを、円筒杭部３１の杭外周面３１Ｃ（杭ＫＮの杭外周面）に摺接して引上げられる。
作業者は、各ハンドル軸５を把持して、杭ＫＮを各杭案内軸１の間及び各杭案内板４の間に挿入した状態において、杭打込みハンマーＹを杭ＫＮに対して引上げる。
【０１２８】
続いて、作業者は、各ハンドル軸５を離して、杭打込みハンマーＹを杭ＫＮに向けて落下する。
杭打込みハンマーＹは、図４７乃至図５１に示すように、落下によって、アース用ネジ３５を第１ネジ挿入円穴６１内に挿入し、杭頭部３４を杭端円穴６０内に挿入して、打撃平面４０を杭打撃平面ＫＤ（杭ＫＮの他方の杭端Ｋｂ）に当接する。
これにより、杭打込みハンマー装置Ｂにおいて、杭打込みハンマーＹは、図５１に示すように、杭打撃ハンマー５２（円柱ハンマー部５３及び円錐台形ハンマー部５４）を含む杭打込みハンマーＹの重量によって、杭ＫＮの杭打撃平面ＫＤ（杭ＫＮの他方の杭端Ｋｂ）を打撃して、杭ＫＮ（尖端部３２）を地中ＥＳに打込む。
杭打込みハンマーＹは、図４９及び図５１に示すように、各杭案内軸１の軸外周面１Ｃ、及び各杭案内板４の案内板裏平面４Ｂを、円筒杭部３１の杭外周面３１Ｃ（杭ＫＮの杭外周面）に摺接しつつ落下される。
【０１２９】
杭ＫＮは、図５１に示すように、杭打込みハンマーＹから打撃を受けると、杭打込みハンマーＹと共に地面ＥＰに向けて移動され、尖端部３２（杭ＫＮの一方の杭端Ｋａ）から地中ＥＳに打込まれる。
このとき、杭ＫＮは、図４９及び図５１に示すように、各杭案内軸１及び各杭案内板４にて案内（ガイド）されて、杭中心線ＬＫを杭打撃ハンマー５２のハンマー柱中心線Ｌ５に一致して、地中ＥＳに打込まれる。
【０１３０】
作業者は、図５０に示すように、例えば、各杭案内軸１の他方の軸端１Ｂが地面ＥＰに接地（接触）するまで、杭打込みハンマーＹによる杭ＫＮの打撃を実行する。
杭ＫＭは、図５０に示すように、杭ＫＮの杭全長：Ｌａから杭打込みハンマーＹの各杭案内軸１の案内軸長：ＬＡを減算した打込み量：Ｌｂ（打込み長さ）を最大として、地中ＥＳに打込まれる。
【０１３１】
続いて、作業者は、図５０に示すように、杭ＫＮ（尖端部３２、及び円筒杭部３１）を打込み量：Ｌｂにて地中ＥＳに打込むと、杭打込みハンマーＹを杭ＫＮに対して引上げて、各杭案内軸１の間及び各杭案内板４の間から杭ＫＮを抜出して、杭ＫＮから杭打込みハンマーＹを取除く。
杭打込みハンマーＹは、図５２及び図５３に示すように、各杭案内軸１の他方の軸端１Ｂ及び杭打撃ハンマーＹを上下に反転して配置され、杭打撃ハンマー５２（円錐台形ハンマー部５４）の他方のハンマー柱端面５２Ｂ（一方の円錐部端面５４Ｂ）から杭ＫＮを杭案内円穴６２内に挿入して、地中ＥＳの打込まれた杭ＫＮに外嵌される。
これにより、杭打込みハンマーＹは、杭打撃ハンマー５２の円錐台形ハンマー部５４（他方の円錐部端面５４Ｂ）を地面ＥＰに対峙（対向）して、地中ＥＳに打込まれた杭ＫＮに外嵌される。
【０１３２】
杭ＫＮは、図５３に示すように、他方の杭端Ｋｂ（杭打撃平面ＫＤ／アース用ネジ３５）から杭打込みハンマーＹの杭案内円穴６２内に挿入され、円筒杭部３１の杭外周面３１Ｃを杭案内円穴６２の穴内周面６２Ｃに当接（摺接）して配置される。
杭打込みハンマーＹは、図５３に示すように、杭案内円穴６２内に杭ＫＮを挿入すると、杭ＫＮのアース用ネジ３５を第２ネジ挿入円穴６３内に挿入し、及び穴底平面６４を杭ＫＮの杭打撃平面ＫＤ（杭ＫＮの他方の杭端ｋｂ）に当接して配置される。
これにより、杭ＫＮは、図５３に示すように、杭案内円穴６２にて案内（ガイド）されて、杭中心線ＬＫを杭打込みハンマーＹ（杭打撃ハンマー５２）のハンマー軸中心線Ｌ５に一致（位置）して、杭打撃ハンマー５２と同心に配置される。
【０１３３】
続いて、作業者は、杭打込みハンマーＹの杭案内円穴６２に杭ＫＮを挿入すると、図５４乃至図５７に示すように、補助ハンマーＺを杭打込みハンマーＹに取付ける。
補助ハンマーＺにおいて、打撃軸７１は、図５４乃至図５７に示すように、打撃軸７１の他方の打撃軸端７１Ｂから杭打込みハンマーＹの各軸保持板３の杭挿入円穴２５内に挿入される。
補助ハンマーＺにおいて、打撃軸７１は、他方の打撃軸端７１Ｂを杭打込みハンマーＹの各杭案内軸１の他方の軸端１Ｂから各杭案内軸１の間、及び各杭案内板４の間に挿され、打撃軸外周面７１Ｃを各杭案内軸１の軸外周面１Ｃ及び各杭案内板４の案内板裏平面４Ｂに当接（摺接）して配置される。また、打撃軸７１は、他方の打撃軸端７１Ｂ側を杭打込みハンマーＹの杭端円穴６０内に挿して、及び他方の打撃軸端７１Ｂを打撃平面４０に当接して配置される。
これにより、補助ハンマーＺは、打撃軸７１の軸中心線ＬＤ、及び補助ウエイト７２のウエイト柱中心線ＬＥを、杭打込みハンマーＹの杭打撃ハンマー５２のハンマー柱中心線Ｌ５に一致して、杭打撃ハンマー５２と同心に配置される。
【０１３４】
作業者は、補助ハンマーＹを杭打込みハンマーＹに取付けると、図５８及び図５９に示すように、各補助ハンドル軸７３を把持して、補助ハンマーＺを杭打込みハンマーＹ（杭ＫＮ）に対して引上げる。
これにより、補助ハンマーＺは、図５９に示すように、打撃軸７１の他方の打撃軸端７１Ｂ及び杭打込みハンマーＹの打撃平面４０の間に打撃間隔：ＧＺを隔てて配置される。
補助ハンマーＳは、図５７に示すように、打撃軸７１の打撃軸外周面７１Ｃを、杭打込みハンマーＹの各杭案内軸１の軸外周面１Ｃ、及び各杭案内板４の案内板裏平面４Ｂに摺接して引上げられる。
【０１３５】
続いて、作業者は、各補助ハンドル軸７３を離して、補助ハンマーＺを杭打込みハンマーＹ及び杭ＫＮに向けて落下する。
補助ハンマーＺは、図５６、図６０及び図６１に示すように、落下によって、打撃軸７１の他方の打撃軸端７１Ｂ（軸端面）を杭打込みハンマーＹの打撃平面４０に当接する。
これにより、杭打込みハンマー装置Ｂにおいて、補助ハンマーＺは、図６０に示すように、補助ウエイト７２（第１及び第２補助ウエイト部７５，７６）を含む補助ハンマーＺの重量によって、杭打込みハンマーＹの打撃平面４０を打撃する。
これにより、杭打込みハンマーＹは、杭案内円穴６２の穴底平面６４から杭ＫＮを打撃して、杭ＫＮを地中ＥＳに打込む。
補助ハンマーＺは、図５７に示すように、打撃軸７１の打撃軸外周面７１Ｃを杭打込みハンマーＹの各杭案内軸１の軸外周面１Ｃ、及び各杭案内板４の案内板裏平面４Ｂに摺接しつつ落下される。
【０１３６】
杭打込みハンマーＹは、図６０及び図６１に示すように、補助ハンマーＺから打撃を受けると、補助ハンマーＺ及び杭ＫＮと共に地面ＥＰに向けて移動され、杭ＫＮを地中ＥＳに打込む。
このとき、杭ＫＮは、図５７に示すように、杭打込みハンマーＹの杭案内円穴６２にて案内（ガイド）されて、杭中心線ＬＫを杭打撃ハンマー５２のハンマー柱中心線Ｌ５に一致して、地中ＥＳに打込まれる。
【０１３７】
作業者は、図６０及び図６１に示すように、例えば、杭ＫＮを完全に地中ＥＳに打込むまで、補助ハンマーＺによる杭打込みハンマーＹ（杭ＫＮ）の打撃を実行する。
このとき、杭打込みハンマーＹにおいて、杭打撃ハンマー５２の円錐台形ハンマー部５４は、図６０及び図６１に示すように、杭ＫＮを共に地中ＥＳに打込まれる。
円錐台形ハンマー部５４は、円錐形状であるため、補助ハンマーＺから打撃を受けると、容易（円滑）に地中ＥＳに打込まれる。
これにより、杭ＫＮは、地面ＥＳ側にアース用ネジ３５（杭の他方の杭端Ｋｂ）を配置して、杭全長：Ｌａにわたって地中ＥＳに打込まれる。
地中ＥＳに完全に打込まれた杭ＫＮから、杭打込みハンマーＹ及び補助ハンマーＺを外して、アース用ネジ３５を使用して、アース線（図示しない）を杭ＫＮに接続する。
【０１３８】
このように、杭打込みハンマー装置Ｂは、杭打込みハンマーＹ、補助ハンマーＺによって、杭全長：Ｌａを最大として、任意の打込み量にて杭ＫＮを地中ＥＳに打込むことができる。
【０１３９】
杭打込みハンマー装置Ｂは、図６３乃至図６５に示す構成も採用できる。
なお、図６３乃至図６５において、図４１乃至図４６と同一符号は、同一部材、同一構成であるので、その詳細な説明は省略する。
【０１４０】
図６３乃至図６５において、補助ハンマーＺは、打撃軸７１、補助ウエイト７２、及び複数本（４本以上）の補助ハンドル軸７３を備える。
【０１４１】
補助ウエイト７２は、第１補助ウエイト部７５、複数種の第２補助ウエイト部７６Ｘ，７６Ｙ，…、及び補助取付ボルトネジ８１を備える。
【０１４２】
複数種の第２補助ウエイト部７６Ｘ，７６Ｙ，…は、図６３に示すように、円柱直径（柱外周直径）の相異する同一金属で形成され、例えば、鉄円柱、鋼円柱（金属円柱）で形成される。
複数種の第２補助ウエイト部において、第２補助ウエイト部７６Ｘは、円柱直径：Ｄｆを有する。第２補助ウエイト部７６Ｙは、第２補助ウエイト部７６Ｘより大径の円柱直径：Ｄｇを有する。
各第２補助ウエイト部７６Ｘ，７６Ｙは、図４１乃至図４６で説明したと同様に、補助円錐台形穴７９、及び補助ボルト円穴８０を有する。各第２補助ウエイト部７６Ｘ，７６Ｙの補助円錐台形穴７９、及び補助ボルト円穴８０は、各第２補助ウエイト部７６Ｘ，７６Ｙの第２ウエイト柱中心線ＬＲを中心として同心に配置される。
これにより、各第２補助ウエイト部７６Ｘ，７６Ｙは、円柱直径：Ｄｆ，Ｄｇを相異することで、重量の相異するウエイト部となる。
【０１４３】
複数本の補助ハンドル軸７３は、図６３に示すように、各第２補助ウエイト部７６Ｘ，７６Ｙ，…に２本配置される。
各第２補助ウエイト部７６Ｘ，７６Ｙ，…の２本の補助ハンドル軸７３は、第２補助ウエイト部７６Ｘ，７６Ｙ，…の周方向に等間隔（角度：１８０°）の間隔を隔てて配置される。第２補助ウエイト部７６Ｘ，７６Ｙ，…の２本の補助ハンドル軸７３は、各第２補助ウエイト部７６Ｘ，７６Ｙ，…のウエイト外周面７６Ｃから第２補助ウエイト部７６Ｘ，７６Ｙ，…の第２ウエイト柱中心線ＬＲ（補助ウエイト７２のウエイト柱中心線ＬＥ）と直交する方向に延在され、各第２補助ウエイト部７６Ｘ，７６Ｙ，…に固定される。
【０１４４】
複数種から１の第２補助ウエイト部、例えば、第２補助ウエイト部７６Ｙを選択し、選択した第２補助ウエイト部７６Ｙは、第１補助ウエイト部７５に取外自在として固定される。
選択した第２補助ウエイト部７６Ｙは、図４１乃至図４６で説明したと同様に、第１補助ウエイト部７５に取付けられる。第２補助ウエイト部７６Ｙは、図６３及び図６４に示すように、一方の第２ウエイト柱端面７６Ａ（補助円錐台形穴７９）から第１補助ウエイト部７５の他方の第１ウエイト柱端面７５Ｂ側（ウエイト円錐台形部材８３）に配置される。
第２補助ウエイト部７６Ｙは、補助円錐台形穴７９内にウエイト円錐台形部材８３を挿入して、第１補助ウエイト部７５に取付けられる。
第２補助ウエイト部７６Ｙ及び第１補助ウエイト部７５は、ウエイト円錐台形部材８３の円錐外周面８３Ｃ及び補助円錐台形穴７９の円錐内周面７９Ｃを当接し、他方の第１ウエイト柱端面７５Ｂ（他方のウエイト円錐部端面８３Ｂ）及び補助円錐台形穴７９の穴底平面を当接して配置される。
これにより、第２補助ウエイト部７６Ｙは、補助ウエイト７２のウエイト柱中心線ＬＥを中心として、第１補助ウエイト部７５と同心に配置される。
【０１４５】
第２補助ウエイト部７６Ｙは、図６４に示すように、補助取付ボルトネジ８１にて第１補助ウエイト部７５に取外自在として固定される。
補助取付ボルトネジ８１は、第２補助ウエイト部７６Ｙの他方の第２ウエイト柱端面７６Ｂからボルトネジ軸８１Ａを第２補助ウエイト部７６Ｙの補助ボルト円穴８０に挿入して、第１補助ウエイト部７５の補助ネジ円穴７８に螺着して固定される。
これにより、第２補助ウエイト部７６Ｙは、補助取付ボルトネジ８１、及び補助ネジ円穴７８によって、第１補助ウエイト部７５（ウエイト円錐台形部材８３）に取外自在として固定される。
また、第２補助ウエイト部７６Ｙを第１補助ウエイト部７５から取外して、複数種から他の１の第２補助ウエイト部７６Ｘを選択し、選択した第２補助ウエイト部７６Ｘを、図４１乃至図４６で説明したと同様に、第１補助ウエイト部７５（ウエイト円錐台形部材８３）に取外自在として固定する（図６５参照）。
第２補助ウエイト部７６Ｙは、補助取付ボルトネジ８１を回転して、第２補助ウエイト部７６Ｙの補助ボルト円穴８０から抜取ることで、第１補助ウエイト部７５から取外す。
【０１４６】
このように、重量の相異（円柱直径：Ｄｆ，Ｄｇの相異）する複数種の第２補助ウエイト部７６Ｘ，７６Ｙ，…から、１の第２補助ウエイト部７６Ｙ（又は第２補助ウエイト部７６Ｘ等）を選択して、第１補助ウエイト部７５（ウエイト円錐台形部材８３）に取付けて固定することで、補助ハンマーＺによって杭打込みハンマーＹの打撃平面４０を打撃する打撃力を調整できる。
【０１４７】
杭打込みハンマー装置Ｂは、図６６に示す構成も採用できる。
なお、図６６において、図２５乃至図４０と同一符号は、同一部材、同一構成であるので、その詳細な説明は省略する。
【０１４８】
図６６において、複数枚の杭案内板４は、各軸保持板３の杭挿入円穴２５の周方向（杭打撃ハンマー５２の周方向）において、各杭案内軸１の間に２枚配置される。各杭案内板４は、各杭案内軸１の軸心線Ｌ１の方向において、各軸保持板３の間に４枚配置される。
各杭案内軸１の間の２枚の杭案内板４（杭案内軸１の間に配置した２枚の杭案内板４）は、図６６に示すように、一方の案内板裏面４Ｂ（一方の案内板平面）を各軸保持板３の杭挿入円穴２５に向けて、各軸保持板３の杭挿入円穴２５の周方向に並べて配置される。
各杭案内軸１の間の２枚の杭案内板４は、図６６に示すように、一方の案内板裏平面４Ｂ（案内板裏平面４Ｂの一部）を、各軸保持板３の杭挿入円穴２５の内側に突出して、各軸保持板３の間に延在される。
各杭案内軸１の間の２枚の杭案内板４は、図６６に示すように、各軸保持板３の杭挿入円穴２５の内側に突出した一方の案内板裏平面４Ｂを摺接円ＣＴに接して配置されて、隣接する各杭案内軸１に固定される。
各杭案内軸１の間の２枚の杭案内板４は、図６６に示すように、一方の案内板裏平面４Ｂを摺接円ＣＴに接した状態において、各軸保持板３の杭挿入円穴２５の周方向にて相互に連結される。各杭案内板４は、各杭案内軸１の軸中心線Ｌ１の方向において、各軸保持板３に固定される。
各杭案内軸１の間の２枚の杭案内板４は、図２６乃至図６１で説明したと同様に、円筒杭部３１の杭外周面３１Ｃ（杭ＫＮの杭外周面）、及び打撃軸７１の打撃軸外周面７１Ｃに摺接される。
このように、各杭案内軸１の間に配置する杭案内板４の枚数は、杭ＫＮの杭外周直径（円筒杭部３１の杭外周直径：ＤＡ）、打撃軸７１の打撃軸直径：ＤＢに応じて、１枚又は２枚を選択する。
【０１４９】
杭打込みハンマー装置Ｂでは、杭打込みハンマーＹの各杭案内軸１の間に杭案内板４を配置しない構成も採用できる。
杭打込みハンマー装置Ｂでは、各杭案内軸１の案内軸長：ＬＡを短く、又は長くすることで、図５２に示すように、最大となる打込み量：Ｌｂ（打込み長さ）を調整できる。
杭打込みハンマー装置Ｂにおいて、補助ハンマーＺでは、補助ウエイト７２を第１及び第２補助ウエイト部７５，７６で構成することに限定されず、１の金属円柱で形成しても良い。
杭打込みハンマー装置Ｂにおいて、杭打込みハンマーＹは、杭打撃ハンマー５２を円柱ハンマー部５３及び円錐台形ハンマー部５４で構成することに限定されず、１の金属円柱で形成しても良い。
【産業上の利用可能性】
【０１５０】
本考案は、杭を地中に打込むのに最適である。
【符号の説明】
【０１５１】
Ｘ  杭打込みハンマー
１  杭案内軸
２  杭打撃ハンマー
３  軸保持板
３Ａ  保持板表平面
３Ｂ  保持板裏平面
４  杭案内板
４Ｂ  案内板裏平面（一方の案内板平面）
１０  打撃平面
２５  杭挿入円穴
Ｌ１  軸中心線
Ｌ２  ハンマー柱中心線
Ｆ１  板間隔
ＣＰ  摺接円
【図１】
0003219009.tif 000003
【図２】
0003219009.tif 000004
【図３】
0003219009.tif 000005
【図４】
0003219009.tif 000006
【図５】
0003219009.tif 000007
【図６】
0003219009.tif 000008
【図７】
0003219009.tif 000009
【図８】
0003219009.tif 000010
【図９】
0003219009.tif 000011
【図１０】
0003219009.tif 000012
【図１１】
0003219009.tif 000013
【図１２】
0003219009.tif 000014
【図１３】
0003219009.tif 000015
【図１４】
0003219009.tif 000016
【図１５】
0003219009.tif 000017
【図１６】
0003219009.tif 000018
【図１７】
0003219009.tif 000019
【図１８】
0003219009.tif 000020
【図１９】
0003219009.tif 000021
【図２０】
0003219009.tif 000022
【図２１】
0003219009.tif 000023
【図２２】
0003219009.tif 000024
【図２３】
0003219009.tif 000025
【図２４】
0003219009.tif 000026
【図２５】
0003219009.tif 000027
【図２６】
0003219009.tif 000028
【図２７】
0003219009.tif 000029
【図２８】
0003219009.tif 000030
【図２９】
0003219009.tif 000031
【図３０】
0003219009.tif 000032
【図３１】
0003219009.tif 000033
【図３２】
0003219009.tif 000034
【図３３】
0003219009.tif 000035
【図３４】
0003219009.tif 000036
【図３５】
0003219009.tif 000037
【図３６】
0003219009.tif 000038
【図３７】
0003219009.tif 000039
【図３８】
0003219009.tif 000040
【図３９】
0003219009.tif 000041
【図４０】
0003219009.tif 000042
【図４１】
0003219009.tif 000043
【図４２】
0003219009.tif 000044
【図４３】
0003219009.tif 000045
【図４４】
0003219009.tif 000046
【図４５】
0003219009.tif 000047
【図４６】
0003219009.tif 000048
【図４７】
0003219009.tif 000049
【図４８】
0003219009.tif 000050
【図４９】
0003219009.tif 000051
【図５０】
0003219009.tif 000052
【図５１】
0003219009.tif 000053
【図５２】
0003219009.tif 000054
【図５３】
0003219009.tif 000055
【図５４】
0003219009.tif 000056
【図５５】
0003219009.tif 000057
【図５６】
0003219009.tif 000058
【図５７】
0003219009.tif 000059
【図５８】
0003219009.tif 000060
【図５９】
0003219009.tif 000061
【図６０】
0003219009.tif 000062
【図６１】
0003219009.tif 000063
【図６２】
0003219009.tif 000064
【図６３】
0003219009.tif 000065
【図６４】
0003219009.tif 000066
【図６５】
0003219009.tif 000067
【図６６】
0003219009.tif 000068